(57)【要約】【解決すべき課題】  肥満等の状態で差異的に発現する核酸分子を発見すること。【解決手段】  本発明は、肥満、摂食障害、体重維持、糖尿病及び／又は代謝エネルギーレベルの調節に関連する発現産物をコードする核酸分子に関する。本発明の核酸分子及び発現産物は、組換え手段により生産され、又は天然資源から単離される。本発明の核酸分子と発現産物及びそれらの誘導体、同族体、類似体及び模倣体は、肥満、摂食障害、体重維持、糖尿病及び／又はエネルギー不均衡の治療薬及び診断薬として、又はそれらの活性及び／又は機能のモジュレーターを設計及び同定するための標的として有用である。本発明の核酸分子及び発現産物は、ディファレンシャルディスプレイ技法により同定される。
2005510214.tif 000002
【特許請求の範囲】
【請求項１】
発現タンパク質又はその誘導体もしくは同族体をコードするヌクレオチド配列又はコードする配列に相補的なヌクレオチド配列を含む核酸分子であって、痩せた動物と比べて肥満動物の、又は給餌した動物と比べて絶食させた動物の、又は糖尿病でない動物と比べて糖尿病の動物の胃、肝臓及び／又は視床下部組織で差異をもって発現する核酸分子。
【請求項２】
配列番号：１で表されるヌクレオチド配列、又はそれと少なくとも約３０％の類似性を有するヌクレオチド配列、又は配列番号：１若しくはその相補形と低ストリンジェンシー条件下でハイブリッド形成できるヌクレオチド配列を含む、請求項１に記載の単離された核酸分子。
【請求項３】
配列番号：２で表されるヌクレオチド配列、又はそれと少なくとも約３０％の類似性を有するヌクレオチド配列、又は配列番号：２若しくはその相補形と低ストリンジェンシー条件下でハイブリッド形成できるヌクレオチド配列を含む、請求項１に記載の単離された核酸分子。
【請求項４】
配列番号：３で表されるヌクレオチド配列、又はそれと少なくとも約３０％の類似性を有するヌクレオチド配列、又は配列番号：３若しくはその相補形と低ストリンジェンシー条件下でハイブリッド形成できるヌクレオチド配列を含む、請求項１に記載の単離された核酸分子。
【請求項５】
配列番号：５で表されるヌクレオチド配列、又はそれと少なくとも約３０％の類似性を有するヌクレオチド配列、又は配列番号：５若しくはその相補形と低ストリンジェンシー条件下でハイブリッド形成できるヌクレオチド配列を含む、請求項１に記載の単離された核酸分子。
【請求項６】
配列番号：６で表されるヌクレオチド配列、又はそれと少なくとも約３０％の類似性を有するヌクレオチド配列、又は配列番号：６若しくはその相補形と低ストリンジェンシー条件下でハイブリッド形成できるヌクレオチド配列を含む、請求項１に記載の単離された核酸分子。
【請求項７】
配列番号：７で表されるヌクレオチド配列、又はそれと少なくとも約３０％の類似性を有するヌクレオチド配列、又は配列番号：６若しくはその相補形と低ストリンジェンシー条件下でハイブリッド形成できるヌクレオチド配列を含む、請求項１に記載の単離された核酸分子。
【請求項８】
配列番号：８で表されるヌクレオチド配列、又はそれと少なくとも約３０％の類似性を有するヌクレオチド配列、又は配列番号：６若しくはその相補形と低ストリンジェンシー条件下でハイブリッド形成できるヌクレオチド配列を含む、請求項１に記載の単離された核酸分子。
【請求項９】
配列番号：９で表されるヌクレオチド配列、又はそれと少なくとも約３０％の類似性を有するヌクレオチド配列、又は配列番号：６若しくはその相補形と低ストリンジェンシー条件下でハイブリッド形成できるヌクレオチド配列を含む、請求項１に記載の単離された核酸分子。
【請求項１０】
配列番号：１で表されるヌクレオチド配列を含む、請求項１に記載の単離された核酸分子。
【請求項１１】
配列番号：２で表されるヌクレオチド配列を含む、請求項１に記載の単離された核酸分子。
【請求項１２】
配列番号：３で表されるヌクレオチド配列を含む、請求項１に記載の単離された核酸分子。
【請求項１３】
配列番号：４で表されるアミノ酸配列をコードするヌクレオチド配列を含む、請求項１に記載の単離された核酸分子。
【請求項１４】
配列番号：５で表されるヌクレオチド配列を含む、請求項１に記載の単離された核酸分子。
【請求項１５】
配列番号：６で表されるヌクレオチド配列を含む、請求項１に記載の単離された核酸分子。
【請求項１６】
配列番号：７で表されるヌクレオチド配列を含む、請求項１に記載の単離された核酸分子。
【請求項１７】
配列番号：８で表されるヌクレオチド配列を含む、請求項１に記載の単離された核酸分子。
【請求項１８】
配列番号：９で表されるヌクレオチド配列を含む、請求項１に記載の単離された核酸分子。
【請求項１９】
痩せた動物と比べて肥満動物の、又は給餌した動物と比べて絶食させた動物の、又は糖尿病でない動物と比べて糖尿病の動物の胃、肝臓、及び／又は視床下部組織で差異をもって発現する核酸分子によりコードされるヌクレオチド配列又はアミノ酸の配列を含む単離された分子。
【請求項２０】
配列番号：１で表される核酸分子、又は配列番号：１と少なくとも約３０％の類似性を有するヌクレオチド配列、又は配列番号：１若しくはその相補形と低ストリンジェンシー条件下でハイブリッド形成できるヌクレオチド配列によりコードされる、請求項１９に記載の単離された分子。
【請求項２１】
配列番号：２で表される核酸分子、又は配列番号：２と少なくとも約３０％の類似性を有するヌクレオチド配列、又は配列番号：２若しくはその相補形と低ストリンジェンシー条件下でハイブリッド形成できるヌクレオチド配列によりコードされる、請求項１９に記載の単離された分子。
【請求項２２】
配列番号：３で表される核酸分子、又は配列番号：３と少なくとも約３０％の類似性を有するヌクレオチド配列、又は配列番号：３若しくはその相補形と低ストリンジェンシー条件下でハイブリッド形成できるヌクレオチド配列によりコードされる、請求項１９に記載の単離された分子。
【請求項２３】
配列番号：５で表される核酸分子、又は配列番号：５と少なくとも約３０％の類似性を有するヌクレオチド配列、又は配列番号：５若しくはその相補形と低ストリンジェンシー条件下でハイブリッド形成できるヌクレオチド配列によりコードされる、請求項１９に記載の単離された分子。
【請求項２４】
配列番号：６で表される核酸分子、又は配列番号：６と少なくとも約３０％の類似性を有するヌクレオチド配列、又は配列番号：６若しくはその相補形と低ストリンジェンシー条件下でハイブリッド形成できるヌクレオチド配列によりコードされる、請求項１９に記載の単離された分子。
【請求項２５】
配列番号：７で表される核酸分子、又は配列番号：７と少なくとも約３０％の類似性を有するヌクレオチド配列、又は配列番号：７若しくはその相補形と低ストリンジェンシー条件下でハイブリッド形成できるヌクレオチド配列によりコードされる、請求項１９に記載の単離された分子。
【請求項２６】
配列番号：８で表される核酸分子、又は配列番号：８と少なくとも約３０％の類似性を有するヌクレオチド配列、又は配列番号：８若しくはその相補形と低ストリンジェンシー条件下でハイブリッド形成できるヌクレオチド配列によりコードされる、請求項１９に記載の単離された分子。
【請求項２７】
配列番号：９で表される核酸分子、又は配列番号：９と少なくとも約３０％の類似性を有するヌクレオチド配列、又は配列番号：９若しくはその相補形と低ストリンジェンシー条件下でハイブリッド形成できるヌクレオチド配列によりコードされる、請求項１９に記載の単離された分子。
【請求項２８】
分子がタンパク質である、請求項１９に記載の単離された分子。
【請求項２９】
配列番号：１で表されるヌクレオチド配列によりコードされる、請求項２８に記載の単離されたタンパク質。
【請求項３０】
配列番号：２で表されるヌクレオチド配列によりコードされる、請求項２８に記載の単離されたタンパク質。
【請求項３１】
配列番号：３で表されるヌクレオチド配列によりコードされる、請求項２８に記載の単離されたタンパク質。
【請求項３２】
配列番号：４で表されるアミノ酸配列を含む、請求項２８に記載の単離されたタンパク質。
【請求項３３】
配列番号：５で表されるヌクレオチド配列によりコードされる、請求項２８に記載の単離されたタンパク質。
【請求項３４】
配列番号：６で表されるヌクレオチド配列によりコードされる、請求項２８に記載の単離されたタンパク質。
【請求項３５】
配列番号：７で表されるヌクレオチド配列によりコードされる、請求項２８に記載の単離されたタンパク質。
【請求項３６】
配列番号：８で表されるヌクレオチド配列によりコードされる、請求項２８に記載の単離されたタンパク質。
【請求項３７】
配列番号：９で表されるヌクレオチド配列によりコードされる、請求項２８に記載の単離されたタンパク質。
【請求項３８】
（i）  痩せた動物と比べて肥満動物の視床下部又は筋組織で差異をもって発現する核          酸分子によりコードされるタンパク質、又はその誘導体、同族体、類似体、化          学的等価物、若しくは模倣体、
（ii）  給餌した動物と比べて絶食させた動物の肝臓組織で差異をもって発現する核酸          分子によりコードされるタンパク質、又はその誘導体、同族体、類似体、化学          的等価物、若しくは模倣体、
（iii）実質的に配列番号：１で表されるヌクレオチド配列又はその誘導体、同族体、          若しくは類似体により、又はこの配列と少なくとも約３０％の類似性を有する          アミノ酸配列をコードする配列によりコードされるタンパク質、又はこのタン          パク質の誘導体、同族体、類似体、化学的等価物、若しくは模倣体、
（iv）  実質的に配列番号：２で表されるヌクレオチド配列又はその誘導体、同族体、          若しくは類似体により、又はこの配列と少なくとも約３０％の類似性を有する          アミノ酸配列をコードする配列によりコードされるタンパク質、又はこのタン          パク質の誘導体、同族体、類似体、化学的等価物、若しくは模倣体、
（v）  実質的に配列番号：３で表されるヌクレオチド配列又はその誘導体、同族体、          若しくは類似体により、又はこの配列と少なくとも約３０％の類似性を有する          アミノ酸配列をコードする配列によりコードされるタンパク質、又はこのタン          パク質の誘導体、同族体、類似体、化学的等価物、若しくは模倣体、
（vi）  実質的に配列番号：４で表されるアミノ酸配列又はその誘導体、同族体、若し          くは類似体、又はこの配列と少なくとも約３０％の類似性を有する配列を含む          タンパク質、又はこのタンパク質の誘導体、同族体、類似体、化学的等価物、          若しくは模倣体、
（vii）実質的に配列番号：５で表されるヌクレオチド配列又はその誘導体、同族体、          若しくは類似体により、又はこの配列と少なくとも約３０％の類似性を有する          アミノ酸配列をコードする配列によりコードされるタンパク質、又はこのタン          パク質の誘導体、同族体、類似体、化学的等価物、若しくは模倣体、
（viii）実質的に配列番号：６で表されるヌクレオチド配列又はその誘導体、同族体、          若しくは類似体により、又はこの配列と少なくとも約３０％の類似性を有する          アミノ酸配列をコードする配列によりコードされるタンパク質、又はこのタン          パク質の誘導体、同族体、類似体、化学的等価物、若しくは模倣体、
（ix）  実質的に配列番号：７で表されるヌクレオチド配列又はその誘導体、同族体、          若しくは類似体により、又はこの配列と少なくとも約３０％の類似性を有する          アミノ酸配列をコードする配列によりコードされるタンパク質、又はこのタン          パク質の誘導体、同族体、類似体、化学的等価物、若しくは模倣体、
（x）  実質的に配列番号：８で表されるヌクレオチド配列又はその誘導体、同族体、          若しくは類似体により、又はこの配列と少なくとも約３０％の類似性を有する          アミノ酸配列をコードする配列によりコードされるタンパク質、又はこのタン          パク質の誘導体、同族体、類似体、化学的等価物、若しくは模倣体、
（xi）  実質的に配列番号：９で表されるヌクレオチド配列又はその誘導体、同族体、          若しくは類似体により、又はこの配列と少なくとも約３０％の類似性を有する          アミノ酸配列をコードする配列によりコードされるタンパク質、又はこのタン          パク質の誘導体、同族体、類似体、化学的等価物、若しくは模倣体、
（xii）配列番号：１で表されるヌクレオチド配列又はその誘導体、同族体、若しくは          類似体と低ストリンジェンシー条件下でハイブリッド形成できる核酸分子によ          りコードされるタンパク質、
（xiii）配列番号：２で表されるヌクレオチド配列又はその誘導体、同族体、若しくは          類似体と低ストリンジェンシー条件下でハイブリッド形成できる核酸分子によ          りコードされるタンパク質、
（xiv）配列番号：３で表されるヌクレオチド配列又はその誘導体、同族体、若しくは          類似体と低ストリンジェンシー条件下でハイブリッド形成できる核酸分子によ          りコードされるタンパク質、
（xv）  配列番号：５で表されるヌクレオチド配列又はその誘導体、同族体、若しくは          類似体と低ストリンジェンシー条件下でハイブリッド形成できる核酸分子によ          りコードされるタンパク質、
（xvi）配列番号：６で表されるヌクレオチド配列又はその誘導体、同族体、若しくは          類似体と低ストリンジェンシー条件下でハイブリッド形成できる核酸分子によ          りコードされるタンパク質、
（xvii）配列番号：７で表されるヌクレオチド配列又はその誘導体、同族体、若しくは          類似体と低ストリンジェンシー条件下でハイブリッド形成できる核酸分子によ          りコードされるタンパク質、
（xviii）配列番号：８で表されるヌクレオチド配列又はその誘導体、同族体、若しく          は類似体と低ストリンジェンシー条件下でハイブリッド形成できる核酸分子に          よりコードされるタンパク質、
（xix）配列番号：９で表されるヌクレオチド配列又はその誘導体、同族体、若しくは          類似体と低ストリンジェンシー条件下でハイブリッド形成できる核酸分子によ          りコードされるタンパク質、
（xx）  項（i）から項（xix）までのいずれか一つで定義された、ホモ二量体の形の          タンパク質、
（xxi）項（i）から項（xix）までのいずれか一つで定義された、ヘテロ二量体の形          のタンパク質、
から成るリストから選択される、単離されたタンパク質。
【請求項３９】
哺乳動物におけるＡＧＴ−１１９、ＡＧＴ−１２０、ＡＧＴ−１２１、ＡＧＴ−１２２、ＡＧＴ−４２２、ＡＧＴ−４２３及び／又はＡＧＴ−５０４の1つ以上の発現を変化させる方法であって、ＡＧＴ−１１９、ＡＧＴ−１２０、ＡＧＴ−１２１、ＡＧＴ−１２２、ＡＧＴ−４２２、ＡＧＴ−４２３及び／又はＡＧＴ−５０４の発現を高レベル調節又は低レベル調節、又はその他の方法で変化させるのに十分な時間及び条件の下で、効果的な量のＡＧＴ−１１９、ＡＧＴ−１２０、ＡＧＴ−１２１、ＡＧＴ−１２２、ＡＧＴ−４２２、ＡＧＴ−４２３及び／又はＡＧＴ−５０４の発現のモジュレーターとＡＧＴ−１１９、ＡＧＴ−１２０、ＡＧＴ−１２１、ＡＧＴ−１２２、ＡＧＴ−４２２、ＡＧＴ−４２３及び／又はＡＧＴ−５０４とを接触させる工程を含む方法。
【請求項４０】
哺乳動物におけるＡＧＴ−１１９、ＡＧＴ−１２０、ＡＧＴ−１２１、ＡＧＴ−１２２、ＡＧＴ−４２２、ＡＧＴ−４２３及び／又はＡＧＴ−５０４の活性を変化させる方法であって、ＡＧＴ−１１９、ＡＧＴ−１２０、ＡＧＴ−１２１、ＡＧＴ−１２２、ＡＧＴ−４２２、ＡＧＴ−４２３及び／又はＡＧＴ−５０４の活性を増加又は減少させるのに十分な時間及び条件の下で活性を変化させるのに効果的な量の分子を該哺乳動物に投与する工程を含む方法。
【請求項４１】
肥満症、摂食障害、糖尿病及び／又はエネルギー不均衡の症状の1つ以上を特徴とする状態を患う哺乳動物の治療法であって、ＡＧＴ−１１９、ＡＧＴ−１２０、ＡＧＴ−１２１、ＡＧＴ−１２２、ＡＧＴ−４２２、ＡＧＴ−４２３及び／又はＡＧＴ−５０４の発現を変化させるのに十分な、又はＡＧＴ−１１９、ＡＧＴ−１２０、ＡＧＴ−１２１、ＡＧＴ−１２２、ＡＧＴ−４２２、ＡＧＴ−４２３及び／又はＡＧＴ−５０４の活性を変化させるのに十分な時間及び条件の下で、該哺乳動物に効果的な量の物質を投与する工程を含む方法。
【請求項４２】
肥満症、摂食障害、糖尿病及び／又はエネルギー不均衡の症状の1つ以上を特徴とする疾病状態を患う哺乳動物の治療法であって、該哺乳動物に効果的な量のＡＧＴ−１１９、ＡＧＴ−１２０、ＡＧＴ−１２１、ＡＧＴ−１２２、ＡＧＴ−４２２、ＡＧＴ−４２３及び／又はＡＧＴ−５０４、又はＡＧＴ−１１９、ＡＧＴ−１２０、ＡＧＴ−１２１、ＡＧＴ−１２２、ＡＧＴ−４２２、ＡＧＴ−４２３及び／又はＡＧＴ−５０４を投与する工程を含む方法。
【請求項４３】
肥満症、摂食障害、糖尿病及び／又はエネルギー不均衡を特徴とする状態を治療するための医薬の製造における、ＡＧＴ−１１９、ＡＧＴ−１２０、ＡＧＴ−１２１、ＡＧＴ−１２２、ＡＧＴ−４２２、ＡＧＴ−４２３及び／又はＡＧＴ−５０４、又はその誘導体、同族体、若しくは類似体の発現を変化させることができる物質の使用。
【請求項４４】
肥満症、摂食障害、糖尿病及び／又はエネルギー不均衡を特徴とする状態を治療するための医薬の製造における、ＡＧＴ−１１９、ＡＧＴ−１２０、ＡＧＴ−１２１、ＡＧＴ−１２２、ＡＧＴ−４２２、ＡＧＴ−４２３及び／又はＡＧＴ−５０４、又はその誘導体、同族体、類似体、化学的等価物、若しくは模倣体の活性を変化させることができる物質の使用。
【請求項４５】
肥満症、摂食障害、糖尿病及び／又はエネルギー不均衡を特徴とする状態を治療するための医薬の製造における、ＡＧＴ−１１９、ＡＧＴ−１２０、ＡＧＴ−１２１、ＡＧＴ−１２２、ＡＧＴ−４２２、ＡＧＴ−４２３及び／又はＡＧＴ−５０４、又はその誘導体、同族体若しくは類似体、又は、ＡＧＴ−１１９、ＡＧＴ−１２０、ＡＧＴ−１２１、ＡＧＴ−１２２、ＡＧＴ−４２２、ＡＧＴ−４２３及び／又はＡＧＴ−５０４、又はその誘導体、同族体、類似体、化学的等価物若しくは模倣体の使用。
【請求項４６】
ＡＧＴ−１１９、ＡＧＴ−１２０、ＡＧＴ−１２１、ＡＧＴ−１２２、ＡＧＴ−４２２、ＡＧＴ−４２３及び／又はＡＧＴ−５０４の発現のモジュレーター、又は、ＡＧＴ−１１９、ＡＧＴ−１２０、ＡＧＴ−１２１、ＡＧＴ−１２２、ＡＧＴ−４２２、ＡＧＴ−４２３及び／又はＡＧＴ−５０４の活性のモジュレーター、及び1つ以上の薬学的に許容できる担体及び／又は希釈剤を含む組成物。
【請求項４７】
被検体由来の生体試料中のＡＧＴ−１１９、ＡＧＴ−１２０、ＡＧＴ−１２１、ＡＧＴ−１２２、ＡＧＴ−４２２、ＡＧＴ−４２３及び／又はＡＧＴ−５０４、又はその誘導体若しくは同族体を検出する方法であって、該生体試料を、ＡＧＴ−１１９、ＡＧＴ−１２０、ＡＧＴ−１２１、ＡＧＴ−１２２、ＡＧＴ−４２２、ＡＧＴ−４２３及び／又はＡＧＴ−５０４、又はそれらの抗原性誘導体若しくは同族体に特異的な抗体と、複合体を形成するのに十分な時間及び条件の下で接触させる工程、及び次いで該複合体を検出する工程を含む方法。
【発明の詳細な説明】
【技術分野】
【０００１】
本発明は概して、異なる生理学的条件下でディファレンシャルディスプレイ技術を用いて同定される、少なくとも胃、視床下部、又は肝臓で発現する核酸分子に関する。この核酸分子が、肥満、摂食障害、体重維持、糖尿病及び／又は代謝エネルギーレベルの調節に関連する発現産物をコードする、ということを提言する。より具体的には、本発明は核酸分子及び核酸分子から組換え手段により作成された発現産物、若しくは天然資源から単離された発現産物、並びに、肥満、摂食障害、体重維持、糖尿病及び／又はエネルギー不均衡などの症状に対する治療計画及び診断計画におけるこれらの使用に向けられている。従って、対象の核酸分子と発現産物、及びその誘導体、同族体、類似体及び模倣体は、肥満、摂食障害、体重維持、糖尿病及び／又はエネルギー不均衡の治療薬及び診断薬として、又はその活性及び／又は機能のモジュレーターを設計及び／又は同定するための標的として有用であると提言する。
【背景技術】
【０００２】
本明細書で言及する文献の書誌的詳細は、明細書の末尾に列挙する。
【０００３】
本明細書における如何なる先行技術の参照も、その先行技術がどの国においても共通する一般知識の一部を形成することを認識又は示唆するものではなく、そのように解釈されるべきではない。
【０００４】
組換えＤＮＡ技術がますます高度化したため、医学、獣医学並びに同類のヒト及び動物の健康の分野での研究及び開発がかなり容易になっている。これは特に、ある種の疾病状態の病因に関わる遺伝子的基礎の研究においてそうである。罹患率及び死亡率の観点から観た特に重大な症状の一つは、肥満と、その２型糖尿病（以前は、インシュリン非依存性糖尿病、即ちＮＩＤＤＭ）及び循環器病との関連である。
【０００５】
肥満は体脂肪の病的な過多と定義され、持続的な期間のエネルギー摂取とエネルギー消費の不均衡の結果である。肥満は裕福な国で見られる最も一般的な代謝病である。これらの国における肥満症の罹患率は憂慮すべき程高く、１０％から５０％以上の範囲に及ぶ部分集団もある（非特許文献１）。特に気になるのは、肥満症の罹患率が裕福な社会で一貫して上昇しているようであり、それほど裕福でない国でも裕福になるにつれ、及び／又は裕福な国の文化的習慣を取り入れるにつれ、肥満症の罹患率は今や急速に上昇しているという事実である（非特許文献２）。
【０００６】
例えばオーストラリアでは、１９９５年の成人人口の１９％が肥満症（ＢＭＩ＞３０）であった。平均すると、１９９５年の女性の体重は１９８０年の対応値よりも４．８ｋｇ増加し、男性では３．６ｋｇ増加している（非特許文献３）。もっと最近では、１９９９年から２０００年の間に行われたオースダイアブ・スタディー（オーストラリア糖尿病研究）は、２５歳〜６４歳の男性の６５％、及び女性の４５％が太りすぎであるとみなされることを示した（非特許文献４）。米国での肥満症の罹患率も１９９１年から１９９８年の間に確実に増加しており、この間にアメリカ人の１２％から１８％に増加している（非特許文献５）。
【０００７】
肥満症の罹患率が高く且つ増加しつつあることは、個人と社会全体の双方に健康にかかわる重大な意味合いを含んでいる。肥満症は複雑で異質な障害であり、２型真正糖尿病や心臓血管病などのいくつかの他の代謝状態のリスクを増大させるため、予防可能な罹患率や死亡率の主要な危険指標であると認識されてきた（非特許文献６、非特許文献７）。肥満症と並行して糖尿病の罹患率も急速に増加し続けている。オーストラリアでは糖尿病を患う人が１９９５年に約７０万人であったが、一方米国では糖尿病の罹患率が１９９０年の４．９％から１９９９年の６．９％まで増加した（非特許文献８）。オーストラリアでは、糖尿病や他の疾患状態と関連する肥満症の年間コストは、１９９２年〜１９９３年の間で控えめに見積もっても８億１千万ＡＵ＄になるとされた（非特許文献９）。米国では、ナショナル・ヘルス・インタビュー・サーベイ（ＮＨＩＳ）が１９９５年の肥満症の経済的コストを約９９０億ＵＳ＄と見積もったが、それは当時の米国の全医療費の５．７％に相当するものであった（非特許文献１０）。
【０００８】
全体的な人口の体重におけるバリエーションの２５〜８０％は遺伝的影響で説明できるとする、双子の研究や養子縁組研究及び人口に基づく分析から、肥満症の病因の遺伝的基盤が特に指摘されている（非特許文献１、非特許文献１１、非特許文献１２）。遺伝子が個体の体重の可能範囲を決定し、個体がその時々に置かれる環境がその範囲内の点に影響を与えると考えられている（非特許文献１）。しかしながら、肥満症の病因に関連があると考えられる遺伝子に関する研究が数多くあるにもかかわらず、当分野では重要な発見は驚くほど少なかった。加えて、さまざまな集団群でゲノムを読み取ったが、肥満症に主要な影響を及ぼす染色体領域の決定的な証拠は得られなかった。
【０００９】
いくつかの器官／組織が、肥満症及び２型糖尿病の病理生理学に関与するとされてきた。特に興味深いのは、視床下部、胃及び肝臓である。視床下部は、長い間エネルギー摂取の調節における重要な脳領域であると認識され（非特許文献１３）、現在では視床下部がエネルギー恒常性、視床下部が産生する及び／又は視床下部に作用する多くの因子の統合及び調整において中心的な役割を担うことが広く認められている。ニューロペプチドＹ、副腎皮質刺激ホルモン放出ホルモン、メラニン凝集ホルモン、レプチン及びインスリンを含む、これら多数の因子は、エネルギー均衡及び体重調節におけるその役割について研究されてきた。視床下部でエネルギー均衡を調節する代謝経路を撹乱する遺伝子変化が、肥満症の発症、及びその後の糖尿病の発症の原因となり得ることが提唱されてきた。従って、動物の代謝制御における視床下部の機能を理解する上での重要なステップとして、これらのホルモンの標的を同定することが求められる。このような標的は臓器全体、及び、その発現がこれらのホルモンの存在により調節される遺伝子であろう。
【００１０】
食物摂取の調節における胃の役割は、二種類のシグナルに関与すると考えられる。胃の膨張度合いと、胃壁又は腸壁での化学受容体の活性化である（非特許文献１４）。腸は体内で最大の内分泌器官であり、食後には多数の消化管ホルモンが放出される。ガストリン、ソマトスタチン、コレシストキニン、胃抑制ポリペプチド、及びニューロテンシンがその例である。胃が１回の食事の間に食物摂取を制限するシグナルの一部を発するという一般的な合意にも関わらず、このシグナルの性質又はこのシグナルがどのように脳に伝達されるのかは、まだ確定していない。恐らく、胃の膨張度合い、又は胃腸壁内の栄養分の存在に関する情報は、神経かホルモンのいずれかを通って脳に伝達されるのであろう。現在食物摂取の調節において同定されている腸ホルモンの役割は、まだ多義的にさえ決まっていない。
【００１１】
肝臓も、幾つかの重要な生理学的経路において重要な役割を果たす。肝臓は、グルコース、アミノ酸及び脂肪の代謝の調節において主要な役割を担う。さらに、肝臓は門脈を介して、摂取され、吸収された大量の食物と直接接触する唯一の（腸管を除く）器官であり、それ故に、肝臓は体内に入ってくる栄養分のレベル、特にタンパク質と炭水化物の量を「感知」又はモニターすることができる。肝臓はまた、腸管からの栄養分の吸収及び体全体にわたる代謝の変化についての情報を脳に中継する未同定シグナルの伝達を介して食物摂取を調節する役割を果たしている可能性もあると提唱されてきた（非特許文献１５）。肝臓は、糖新生やグリコーゲン分解などの経路を調節することにより血中グルコース濃度の維持にも重大な役割を果たしている。グルコース恒常性の変化は、耐糖能異常や２型真正糖尿病の発症の病理生理学における重要な因子である。
【非特許文献１】ブーチャード、The genetics of obesity，ボカラートン，ＣＲＣプレス，1994。
【非特許文献２】ズィメット、 Diabetes Care 15(2)： 232-247, 1992。
【非特許文献３】オーストラリアン・インスティチュート・オブ・ヘルス・アンド・ウェルフェア、心臓病、卒中及び血管病、オーストラリアの事実 AIHW Cat. No. CVD 7, キャンベラ：ＡＩＨＷとハート・ファンデーション・オブ・オーストラリア，1999。
【非特許文献４】デ・ルーパーとバーティア、Australia's Health Trends 2001.オーストラリアン・インスティチュート・オブ・ヘルス・アンド・ウェルフェア（AIHW）Cat. No. PHE 24,キャンベラ：ＡＩＨＷ, 2001。
【非特許文献５】モクダッドら、JAMA. 282(16): 1519-22, 1999。
【非特許文献６】マストら、JAMA. 282(16)： 1523-1529, 1999。
【非特許文献７】コペルマン、Nature 404： 635-643, 2000。
【非特許文献８】モクダッド、Diabetes Care 24(2)： 412, 2001。
【非特許文献９】ナショナル・ヘルス・アンド・メディカル・リサーチ・カウンシル, オーストラリア人の体重に対する行動：体重過重及び肥満を予防するための戦略，キャンベラ：ナショナル・ヘルス・アンド・メディカル・リサーチ・カウンシル, 1996。
【非特許文献１０】ウォルフとコルディッツ、Obes Res. 6：97-106, 1998。
【非特許文献１１】コペルマンら、Int J Obesity 18： 188-191, 1994。
【非特許文献１２】ラヴシン、Metabolism 44(Suppl 3）：12-14, 1995。
【非特許文献１３】ステラー、Psychol. Rev.61: 5-22, 1954。
【非特許文献１４】「肥満のハンドブック」Ｇ．Ａ．ブレイ，Ｃ．ブーチャード，Ｗ．Ｐ．Ｔ．ジェームス編、273-312, 1998中の、クープマンズ「食物摂取の制御に関する実験的研究」。
【非特許文献１５】ルシーク，Ｍ．，「食物摂取の制御における肝臓グルコ受容体の関与についての仮説」Nature 200: 176, 1963。
【発明の開示】
【発明が解決しようとする課題】
【００１２】
本発明では、給餌、再給餌、又は絶食状態のいずれか、又は糖尿病及び糖尿病でない状態の特定の脊椎動物の組織又は器官で差異的に発現する遺伝子配列を探究した。上述の一方又は両方の状態の下で、少なくとも胃、肝臓及び／又は視床下部で差異的に発現する新規な遺伝子を同定する。本発明に基づき、本発明者らは、肥満症、摂食障害、糖尿病又はエネルギー均衡など（これらに限定されない）の状態に結びつく、一つ以上の生物学的機能に関連すると提唱する遺伝子を単離した。
【課題を解決するための手段】
【００１３】
発明の概要
本明細書を通じて、論旨が別意を要求しない限り、語「含む（comprise）」、又はその変化形である「含む（comprises）」若しくは「含む（comprising）」などは、述べられた要素若しくは整数又は要素若しくは整数の群の含有を意味するが他の如何なる要素又は整数又は要素若しくは整数の群の排除を意味するものではないと解する。
【００１４】
ヌクレオチド及びアミノ酸の配列は、配列同定子番号（配列番号：）で参照する。配列番号：は、＜４００＞１(配列番号：１）、＜４００＞２（配列番号：２）など、配列同定子に数字で対応する。配列同定子の概要は表１に示す。配列表は明細書の末尾に添付する。
【００１５】
健康状態に関連する、又は肥満症、摂食障害、体重維持、糖尿病及び／又は代謝エネルギーレベルなどの生理学的状態に関連する遺伝子配列の候補を同定するため、胃、視床下部及び肝臓組織に由来する遺伝子物質の分析を用いた。イスラエル・スナネズミ（プサモミス・オビーサス）を含む動物モデルを採用した。下記の代謝表現型に基づきグループＡ、Ｂ、Ｃと命名した、３つの動物グループを用いた。
グループＡ：  痩せた動物（正常血糖、正常インスリン）、
グループＢ：  肥満、非糖尿病の動物（正常血糖、高インスリン）、及び
グループＣ：  肥満、糖尿病の動物（高血糖、高インスリン）。
【００１６】
ディファレンシャルディスプレイＰＣＲ分析、サプレッション・サブトラクティブ・ハイブリダイゼーション（ＳＳＨ）、及び胃、肝臓、又は視床下部組織由来のｍＲＮＡの増幅断片長多型分析を含む技術を用いて、給餌、再給餌、及び絶食の哺乳動物、又は糖尿病及び非糖尿病の哺乳動物で差異的に発現する遺伝子配列を同定した。イスラエル・スナネズミ（プサモミス・オビーサス）はこの分析に特に有益であることが分かった。好ましい実施態様では、本明細書中ＡＧＴ−１１９［配列番号：１］、ＡＧＴ−１２０［配列番号：２］、ＡＧＴ−１２１［配列番号：３］、ＡＧＴ−１２２［配列番号：５］、ＡＧＴ−４２２［配列番号：６］、ＡＧＴ−１２３［配列番号：７］及びＡＧＴ−５０４［配列番号：８と配列番号：９］と命名された、７つの差異的に発現する配列を同定した。配列番号：９はＡＧＴ−５０４のゲノム形であり、配列番号：８とも表す。
【００１７】
ＡＧＴ−１１９は、ディファレンシャルディスプレイＰＣＲを用いて胃組織で最初に検出され、その発現は、絶食の動物又は再給餌した動物と比べて給餌した動物で上昇した。ＡＧＴ−１２０は、ディファレンシャルディスプレイＰＣＲを用いて胃組織で最初に検出され、その発現は、絶食の動物又は再給餌した動物と比べて給餌した動物で上昇した。ＡＧＴ−１２１は、ディファレンシャルディスプレイＰＣＲを用いて視床下部で最初に同定され、その発現レベルは、遺伝子型で分類した場合、給餌した動物と比べて絶食させた糖尿病の、糖尿病でない、及び痩せた動物で上昇した。ＡＧＴ−１２２は、ディファレンシャルディスプレイＰＣＲを用いて肝臓で最初に同定され、給餌した糖尿病の又は糖尿病でない動物と比べて、絶食させた動物で発現レベルの上昇を示した。ＡＧＴ−４２２は、サプレッション・サブトラクティブ・ハイブリダイゼーションにより肝臓組織で同定され、その発現は、給餌した糖尿病動物と比べて給餌した痩せた動物で上昇し、絶食した痩せた動物と比べて給餌した痩せた動物で、絶食した糖尿病でない動物と比べて給餌した糖尿病でない動物で、及び絶食させた糖尿病の動物と比べて給餌した糖尿病の動物で上昇した。ＡＧＴ−１２３は、ディファレンシャルディスプレイＰＣＲを用いて視床下部組織で同定され、その発現は、給餌した動物に比べて、絶食の痩せた糖尿病でない動物及び糖尿病の動物で上昇することが分かった。ＡＧＴ−５０４は、ゲノムＤＮＡで増幅断片長多型分析を用いて同定され、肝臓組織におけるその発現は、痩せた動物又は糖尿病でない動物と比べて、糖尿病の動物で上昇した。ＡＧＴ遺伝子の概要を表１に示す。
【００１８】
【表１】
2005510214.tif 000003
【００１９】
従って本発明は、発現産物又はその誘導体、同族体、類似体若しくは模倣体をコードするヌクレオチド配列、又は該発現産物等をコードする配列に相補的なヌクレオチド配列を含む核酸分子であって、給餌した、若しくは給餌していない、又は糖尿病、若しくは非糖尿病の状態にある、胃、肝臓又は視床下部の組織の一つ以上で差異的に発現する核酸分子を提供する。
【００２０】
本発明はさらに、発現産物又はその誘導体、同族体、類似体若しくは模倣体をコードするヌクレオチド配列又は該発現産物等をコードする配列に相補的なヌクレオチド配列を含む核酸分子であって、該ヌクレオチド配列が、配列番号：１又は配列番号：２又は配列番号：３又は配列番号：５又は配列番号：６又は配列番号：７又は配列番号：８又は配列番号：９で実質的に表されるものであり、又は、該ヌクレオチド配列が配列番号：１又は配列番号：２又は配列番号：３又は配列番号：４又は配列番号：５又は配列番号：６又は配列番号：７又は配列番号：８又は配列番号：９の全て又は一部と少なくとも約３０％の類似性を有するものであり、及び／又は、配列番号：１又は配列番号：２又は配列番号：３又は配列番号：４又は配列番号：５又は配列番号：６又は配列番号：７又は配列番号：８又は配列番号：９の一つ以上又はそれらの相補形と、４２℃の低ストリンジェンシー条件下でハイブリッド形成することができるものであり、該核酸分子が給餌した若しくは給餌していない状態、又は糖尿病若しくは非糖尿病の状態にある、胃、肝臓又は視床下部の組織の一つ以上で差異的に発現するものである核酸分子を提供する。
【００２１】
本発明はまた、単離された発現産物又はその誘導体、同族体、類似体若しくは模倣体であって、該発現産物が給餌した若しくは給餌していない状態、又は糖尿病若しくは非糖尿病の状態にある胃、肝臓、又は視床下部組織の一つ以上で差異的に発現するヌクレオチド配列によりコードされるものである単離された発現産物等を提供する。
【００２２】
より具体的には、本発明は単離された発現産物又はその誘導体、同族体、類似体若しくは模倣体であって、該発現産物が配列番号：１又は配列番号：２又は配列番号：３又は配列番号：５又は配列番号：６又は配列番号：７又は配列番号：８又は配列番号：９で実質的に表されるヌクレオチド配列によりコードされるものであり、又は、該ヌクレオチド配列が配列番号：１又は配列番号：２又は配列番号：３又は配列番号：５又は配列番号：６又は配列番号：７又は配列番号：８又は配列番号：９の全て又は一部と少なくとも３０％の類似性を有するものであり、及び／又は配列番号：１、配列番号：２又は配列番号：３又は配列番号：５又は配列番号：６又は配列番号：７又は配列番号：８又は配列番号：９又はその相補形と４２℃の低ストリンジェンシー条件下でハイブリッド形成できるものである単離された発現産物等に向けられている。
【００２３】
本発明の好ましい遺伝子配列は、本明細書ではＡＧＴ−１１９、ＡＧＴ−１２０、ＡＧＴ−１２１、ＡＧＴ−１２２、ＡＧＴ−４２２、ＡＧＴ−１２３、及びＡＧＴ−５０４と称する。ＡＧＴ−１１９、ＡＧＴ−１２０、ＡＧＴ−１２１、ＡＧＴ−１２２、ＡＧＴ−４２２、ＡＧＴ−１２３、及びＡＧＴ−５０４でコードされる発現産物は、本明細書ではそれぞれ、ＡＧＴ−１１９、ＡＧＴ−１２０、ＡＧＴ−１２１、ＡＧＴ−１２２、ＡＧＴ−４２２、ＡＧＴ−１２３、及びＡＧＴ−５０４と称する。これらの発現産物はＲＮＡ（例えば、ｍＲＮＡ）であるかタンパク質であって良い。発現産物がＲＮＡである場合には、本発明は、ＲＮＡ関連分子に由来するＲＮＡｉやイントロン若しくはエクソン配列などに結合するＲＮＡ関連分子にまで及ぶ。
【００２４】
本発明のまた別の側面は、薬学的に許容できる担体及び／又は希釈剤の一つ以上と共に、ＡＧＴ−１１９、ＡＧＴ−１２０、ＡＧＴ−１２１、ＡＧＴ−１２２、ＡＧＴ−４２２、ＡＧＴ−１２３及び／又はＡＧＴ−５０４、又はその誘導体、同族体、類似体若しくは模倣体、又はＡＧＴ−１１９、ＡＧＴ−１２０、ＡＧＴ−１２１、ＡＧＴ−１２２、ＡＧＴ−４２２、ＡＧＴ−１２３及び／又はＡＧＴ−５０４のアゴニスト若しくはアンタゴニストを含む組成物に関する。
【００２５】
本発明の別の側面は、治療に効果的な量のＡＧＴ−１１９、ＡＧＴ−１２０、ＡＧＴ−１２１、ＡＧＴ−１２２、ＡＧＴ−４２２、ＡＧＴ−１２３及び／又はＡＧＴ−５０４、又はその誘導体、同族体、類似体若しくは模倣体、或いは、これらのものをコードする遺伝子配列、又は、ＡＧＴ−１１９、ＡＧＴ−１２０、ＡＧＴ−１２１、ＡＧＴ−１２２、ＡＧＴ−４２２、ＡＧＴ−１２３及び／又はＡＧＴ−５０４の活性或いは、ＡＧＴ−１１９、ＡＧＴ−１２０、ＡＧＴ−１２１、ＡＧＴ−１２２、ＡＧＴ−４２２、ＡＧＴ−１２３及び／又はＡＧＴ−５０４の遺伝子発現のアゴニスト若しくはアンタゴニストを、治療を有効にするのに十分な時間及び条件の下で、該被検体に投与する工程を含む、被検体を治療する方法を意図する。
【００２６】
本発明のこの側面及び他の側面に基づき、本明細書で意図する治療には、肥満症、摂食障害、体重維持、エネルギー不均衡、及び糖尿病が含まれるが、これらに限定されない。治療は医薬組成物の投与、又は遺伝子療法による遺伝子配列によって行って良い。治療はヒトである被験者、及び、畜産業で重要な動物などの動物に対するものを意図する。
【００２７】
本発明の更なる側面は、肥満症、摂食障害、体重維持、エネルギー不均衡及び／又は糖尿病などであるがこれらに限定されない状態のモニター又は診断に用いられる診断薬であって、ＡＧＴ−１１９、ＡＧＴ−１２０、ＡＧＴ−１２１、ＡＧＴ−１２２、ＡＧＴ−４２２、ＡＧＴ−１２３、又はＡＧＴ−５０４、又はその誘導体、同族体、類似体若しくは模倣体に対する抗体、及び、ＰＣＲ、ハイブリッド形成、ＲＦＬＰ分析、若しくはＡＦＬＰ分析にとりわけ有用な、ＡＧＴ−１１９、ＡＧＴ−１２０、ＡＧＴ−１２１、ＡＧＴ−１２２、ＡＧＴ−４２２、ＡＧＴ−１２３、又はＡＧＴ−５０４に結合するヌクレオチド鎖を含むか又は該ヌクレオチド鎖とアニールできる遺伝子配列から選択される診断薬に向けられている。
【００２８】
本明細書を通して用いる配列番号の一覧を表２に挙げる。
【００２９】
【表２】
2005510214.tif 000004
【００３０】
【表２−１】
2005510214.tif 000005
【発明を実施するための最良の形態】
【００３１】
本発明は、部分的には、特に肥満症、摂食障害、体重維持、糖尿病及び／又は代謝エネルギーレベルの調節に関連する新規な遺伝子の同定に基づく。これらの遺伝子は、給餌、再給餌、及び絶食した哺乳動物、又は糖尿病の及び糖尿病でない哺乳動物における胃組織、肝臓組織、又は視床下部組織の一つ以上から得たｍＲＮＡをディファレンシャルスクリーニングすることにより同定される。胃、肝臓及び視床下部の選択は、差異的な発現が他の組織では発生しないことを示唆する意図はない。
【００３２】
従って、本発明の一つの側面は、発現産物、又はその誘導体、同族体、類似体、若しくは模倣体をコードするヌクレオチド配列、又は該発現産物等をコードする配列に相補的なヌクレオチド配列を含む核酸分子であって、給餌（又は再給餌）したか給餌していない状態、又は糖尿病か非糖尿病の状態で、胃組織、肝臓組織又は視床下部組織の一つ以上で差異的に発現するヌクレオチド配列を含む、核酸分子を提供する。
【００３３】
「差異的に発現する」という用語は、その最も一般的な意味で使われ、別の組織と比べてある組織における、又は同じ組織であるが異なる状態におけるｍＲＮＡやタンパク質などの発現産物、若しくはｃＤＮＡなどの２次産物のレベルの上昇を含む。異なる状態の例には、給餌した、再給餌した、及び絶食の動物、又は糖尿病及び非糖尿病の動物由来の組織における差異的発現が含まれる。差異的発現は、実時間ＰＣＲなどのポリメラーゼ連鎖反応（ＰＣＲ）を含む、様々な技術で便利に測定される。他の技術には、サプレッション・サブトラクティブ・ハイブリッド形成（ＳＳＨ）及び増幅断片長多型（ＡＦＬＰ）分析が含まれる。
【００３４】
便宜上、異なる状態にある動物組織内の遺伝子発現の差異を研究するために動物モデルを採用しても良い。とりわけ本発明は、給餌誘発型肥満及び２型糖尿病の動物モデルであるプサモミス・オビーサス（イスラエル・スナネズミ）を用いて実証される。その天然の砂漠生息地での活発な生活様式とソルトブッシュの食餌により、プサモミス・オビーサスは痩せと正常血糖の維持を確実にする（シャフリルとガットマン、J. Basic Clin. Physiol. Pharm.4: 83-99, 1993）。しかしながら、（多くの他の動物種が健康を保つ）無制限の食事を与える実験室では、様々な病態生理学的な反応が見られる（バーネットら、Diabetologia37: 671-676, 1994a；バーネットら、Int. J. Obesity 18: 789-794, 1994b；バーネットら、Diabete Nutr. Metab. 8: 42-47, 1995）。１６週齢までには、半数以上の動物が肥満症になり、およそ３分の１が２型糖尿病を発症する。過食の動物のみが次いで高血糖症を発症し、プサモミス・オビーサスの肥満と２型糖尿病の病態生理学における過剰なエネルギー摂取の重要性が浮き彫りになる（コーリアら、Ann. New York Acad. Sci.827: 50-63, 1997a；ウォルダーら、Obesity Res.5: 193-200, 1997a）。他に見られる表現型には、高インスリン血症、異脂肪血症、及び耐糖能異常が含まれる（コーリアら、1997a、上記；コーリアら、Exp. Clin. Endocrinol. Diabetes 105: 36-37, 1997b）。プサモミス・オビーサスは、「膵臓のスターリン曲線」として知られる血糖レベルとインスリンレベル間の逆Ｕ字型の関係を含む、ヒト集団で見られるパターンに極めて類似した連続曲線を形成する、広範囲の体重と血糖とインスリンのレベルを示す（バーネットら、1994a、上記）。プサモミス・オビーサスを、肥満症と２型糖尿病の病因学及び病態生理学を研究するための理想的なモデルにさせるのは、その表現型反応の異質性である。
【００３５】
動物は、便宜上グループＡ、グループＢ、グループＣで表す三つのグループに分類する。
グループＡ：  動物は痩せている、
グループＢ：  動物は肥満症で非糖尿病である、及び
グループＣ：  動物は肥満症で糖尿病である。
【００３６】
本発明に基づき、幾つかの差異的に発現する遺伝子配列を、異なる給餌管理（即ち、給餌、再給餌、又は絶食）状態にある、又は糖尿病若しくは非糖尿病の状態にあるプサモミス・オビーサスの胃組織、肝臓組織又は視床下部組織で同定した。
【００３７】
本発明の別の側面は、発現産物又はその誘導体、同族体、類似体若しくは模倣体をコードするヌクレオチド配列、又は該発現産物等をコードする配列に相補的なヌクレオチド配列を含む核酸分子であって、該ヌクレオチド配列が、配列番号：１（ＡＧＴ−１１９）又は配列番号：２（ＡＧＴ−１２０）又は配列番号：３（ＡＧＴ−１２１）又は配列番号：５（ＡＧＴ−１２２）又は配列番号：６（ＡＧＴ−４２２）又は配列番号：７（ＡＧＴ−１２３）又は配列番号：８（ＡＧＴ−５０４  ゲノム）又は配列番号：９（ＡＧＴ−５０４  ｃＤＮＡ）で実質的に表されるものであり、或いは該ヌクレオチド配列が配列番号：１又は配列番号：２又は配列番号：３又は配列番号：５又は配列番号：６又は配列番号：７又は配列番号：８又は配列番号：９の全て又は一部と少なくとも約３０％の類似性を有するものであり、及び／又は配列番号：１又は配列番号：２又は配列番号：３又は配列番号：４又は配列番号：５又は配列番号：６又は配列番号：７又は配列番号：８又は配列番号：９又はそれらの相補形の一つ以上と４２℃の低ストリンジェンシー条件下でハイブリッド形成できるものであり、該核酸分子が給餌した若しくは給餌していない状態、又は糖尿病若しくは非糖尿病の状態にある胃組織、肝臓組織、又は視床下部組織の一つ以上で差異的に発現するものである、核酸分子を提供する。
【００３８】
約４０％又は約５０％又は約６０％又は約７０％又は約８０％又は約９０％又は約９５％又は約９６％又は約９７％又は約９８％又は約９９％以上などの、より高い類似性も、本発明で意図する。
【００３９】
発現産物には、ｍＲＮＡ転写物などのＲＮＡ分子だけでなくタンパク質も含まれる。幾つかの遺伝子は非タンパク質をコードする遺伝子であり、ｍＲＮＡや他のＲＮＡ分子を産生し、ＲＮＡ：ＤＮＡ、ＲＮＡ：ＲＮＡ、又はＲＮＡ：タンパク質の相互作用による調節に関与する。ＲＮＡ（例えば、ｍＲＮＡ）は、直接、又はＲＮＡｉなどの他の分子の誘導により、又はスプライシング現象により媒介される産物（例えば、エクソンやイントロン）により、作用しても良い。他の遺伝子は、その後にタンパク質に翻訳されるｍＲＮＡ転写物をコードする。タンパク質はポリペプチドを含む。従って、差異的に発現する核酸分子は、ｍＲＮＡのみをコードするか、又はさらにタンパク質をコードしても良い。ｍＲＮＡとタンパク質は共に、「発現産物」の形態である。
【００４０】
本明細書で言う類似性は、一般的には、少なくとも１５個の連続した、若しくは実質的に連続した、ヌクレオチドの比較レベルにおける類似性である。しかしながら、最適整列化の後に、総配列又は完全配列の比較によって類似性を決定するのが、特に便利である。  
【００４１】
本明細書で用いる用語「類似性」は、比較される配列間のヌクレオチドレベルでの完全な同一性を含む。ヌクレオチドレベルで非同一性がある場合は、「類似性」は、異なるアミノ酸をコードしうるがそれにもかかわらず構造レベル、機能レベル、生化学レベル及び／又は立体構造レベルで互いに関連する配列間の差異を含む。特に好ましい実施態様では、ヌクレオチド配列の比較は、類似性ではなく同一性のレベルで行われる。
【００４２】
二つ以上のポリヌクレオチド間の配列関係を記述するのに用いられる用語には、「参照配列」、「比較窓」、「配列類似性」、「配列同一性」、「配列類似性のパーセンテージ」、「配列同一性のパーセンテージ」、「実質的に類似」、及び「実質的に同一」が含まれる。「参照配列」は、長さが少なくとも１２のモノマー単位であるが、しばしば１５から１８、より多くは３０などの少なくとも２５以上のモノマー単位の長さである。二つのポリヌクレオチドはそれぞれが（１）二つのポリヌクレオチド間で類似する配列（即ち、完全なポリヌクレオチド配列の部分のみ）、及び（２）二つのポリヌクレオチド間で異なる配列を含むことがあるため、二つ（以上）のポリヌクレオチド間の配列比較は、通常は「比較窓」上で二つのポリヌクレオチドの配列を比較し、配列類似性の局所領域を同定し比較することにより行われる。「比較窓」は、参照配列と比較される、通常は１２の連続した残基の概念的なセグメントを指す。比較窓は、二つの配列を最適整列させる場合、参照配列（付加又は欠失を含まない）と比較すると、約２０％以下の付加又は欠失（即ち、ギャップ）を含むことがある。比較窓で整列させるための配列の最適整列は、アルゴリズム（ＧＡＰ、ＢＥＳＴＦＩＴ、ＦＡＳＴＡ、及びＴＦＡＳＴＡ、ウィスコンシン・ジェネティクス  ソフトウェアパッケージ  リリース７．０、ジェネティクスコンピュータグループ、５７５  サイエンスドライブ  マディソン、ウィスコンシン州、米国）のコンピュータによる実行により、又は目視により行なってもよく、そして選択された様々な方法のいずれかにより最良の整列（即ち、比較窓上で最高パーセンテージの相同性を得るもの）が作成されうる。例えばアルチュールら（Nucl. Acids Res.25: 3389, 1997）に開示されたもののような、ＢＬＡＳＴファミリーのプログラムを参照しても良い。配列分析の詳細な議論は、アウスベルら（「分子生物学の最新プロトコール」John Wiley & Sons Inc，1994-1998，１５章）の１９．３単元で見ることができる。ヌクレオチドとアミノ酸の配列を比較するために、ＰＩＬＥＵＰ、ＣＬＵＳＴＡＬＷ、ＳＥＱＵＥＮＣＨＥＲやベクターＮＴＩなどであるがこれらに限定しない、他の様々なアルゴリズムを用いても良い。
【００４３】
本明細書で用いる用語「配列類似性」及び「配列同一性」は、配列が比較窓上で個々のヌクレオチド毎に比較して同一である又は機能的若しくは構造的に類似している程度を指す。従って、例えば「配列同一性のパーセンテージ」は、比較窓上で最適に整列させた二つの配列を比較し、同一の核酸塩基（例えば、Ａ、Ｔ、Ｃ、Ｇ、I）が両方の配列に存在する位置の数を決定して合致する位置の数を求め、その合致した位置の数を比較窓内の位置の総数（即ち、窓の大きさ）で割り、その結果を１００倍して配列同一性のパーセンテージを得ることにより計算する。本発明の目的においては、「配列同一性」は、ＤＮＡＳＩＳコンピュータプログラム（ウィンドウズ（登録商標）用バージョン２．５、ヒタチソフトウェア・エンジニアリング社、サウスサンフランシスコ、カリフォルニア州、米国から購入できる）でソフトウェアに添付されたリファレンスマニュアルで用いられるような標準的なデフォルト値を用いて計算した「合致のパーセンテージ」を意味すると理解されたい。配列類似性についても同様のコメントが当てはまる。
【００４４】
本明細書で言う低ストリンジェンシーは、ハイブリッド形成条件において、少なくとも約０から少なくとも約１５％ｖ／ｖまでのホルムアミド及び少なくとも約１Ｍから少なくとも約２Ｍまでの塩、及び洗浄条件において、少なくとも約１Ｍから少なくとも約２Ｍまでの塩を含み包含する。一般的に、低ストリンジェンシーは約２５〜３０℃から約４２℃までである。この温度は変更しても良く、ホルムアミドと置き換えるため及び／又は別のストリンジェンシー条件を得るために、より高い温度を用いても良い。必要であれば、ハイブリッド形成条件において少なくとも約１６％ｖ／ｖから少なくとも約３０％ｖ／ｖまでのホルムアミド及び少なくとも約０．５Ｍから少なくとも約０．９Ｍまでの塩、及び洗浄条件において少なくとも約０．５Ｍから少なくとも約０．９Ｍまでの塩を含み包含する中ストリンジェンシー、又は、ハイブリッド形成条件において少なくとも約３１％ｖ／ｖから少なくとも約５０％ｖ／ｖまでのホルムアミド及び少なくとも約０．０１Ｍから少なくとも約０．１５Ｍまでの塩、及び洗浄条件において少なくとも約０．０１Ｍから少なくとも約０．１５Ｍまでの塩を含み包含する高ストリンジェンシーなどの、別のストリンジェンシー条件を適用しても良い。一般的に、洗浄はＴm＝６９．３＋０．４１（Ｇ＋Ｃ）％（マーマーとドーティ、J. Mol. Biol. 5: 109, 1962）で行われる。しかしながら、二重鎖ＤＮＡのＴmは不適合塩基対の数が１％増える毎に１℃低下する（ボナーとラスキー、Eur. J. Biochem.46: 83, 1974）。ホルムアミドは、これらのハイブリッド条件では任意選択的である。従って、特に好ましいストリンジェンシーのレベルは次のように定義される：低ストリンジェンシーは２５〜４２℃で６×ＳＳＣ緩衝液、０．１％ｗ／ｖのＳＤＳであり、中ストリンジェンシーは温度が２０℃から６５℃の範囲で２×ＳＳＣ緩衝液、０．１％ｗ／ｖのＳＤＳであり、高ストリンジェンシーは温度が少なくとも６５℃で０．１×ＳＳＣ緩衝液、０．１％ｗ／ｖのＳＤＳである。
【００４５】
本発明のヌクレオチド配列又はアミノ酸配列は、天然に存在する遺伝子（又は対応するｃＤＮＡ）又はタンパク質若しくは他の発現産物の完全に同じ配列と対応することがあり、一つ以上のヌクレオチド又はアミノ酸の置換、付加及び／又は欠失を保持することもある。配列番号：１（ＡＧＴ−１１９）、配列番号：２（ＡＧＴ−１２０）及び配列番号：３（ＡＧＴ−１２１）又は配列番号：５（ＡＧＴ−１２２）又は配列番号：６（ＡＧＴ−４２２）又は配列番号：７（ＡＧＴ−１２３）又は配列番号：８（ＡＧＴ−５０４  ゲノム）又は配列番号：９（ＡＧＴ−５０４  ｃＤＮＡ）で表されるヌクレオチド配列は、括弧内に表す新規な遺伝子に対応する。これらの対応する発現産物は、ＡＧＴ−１１９、ＡＧＴ−１２０、ＡＧＴ−１２１、ＡＧＴ−１２２、ＡＧＴ−４２２、ＡＧＴ−１２３及びＡＧＴ−５０４である。本明細書におけるＡＧＴ−１１９、ＡＧＴ−１２０、ＡＧＴ−１２１、ＡＧＴ−１２２、ＡＧＴ−４２２、ＡＧＴ−１２３、及びＡＧＴ−５０４への言及は、適切な場合には、ゲノム遺伝子又はｃＤＮＡへの言及、並びに天然に存在する又は誘発された任意の誘導体への言及が含まれる。例えば、ＡＧＴ−５０４のゲノム形は配列番号：８と表される。ヌクレオチド配列への置換、欠失及び／又は付加とは別に、本発明はＡＧＴ−１１９、ＡＧＴ−１２０、ＡＧＴ−１２１、ＡＧＴ−１２２、ＡＧＴ−４２２、ＡＧＴ−１２３、及びＡＧＴ−５０４に対応するヌクレオチド配列の変異体、断片、一部及び部分を更に包含する。
【００４６】
本発明の別の一側面は、発現産物をコードするヌクレオチド配列、若しくは発現産物をコードする配列に相補的なヌクレオチド配列を含む核酸分子又はその誘導体、同族体、若しくは類似体であって、該ヌクレオチド配列が配列番号：１（ＡＧＴ−１１９）で実質的に表されるものであり、又はその誘導体、同族体、若しくは模倣体であり、又は配列番号：１の全て若しくは一部と少なくとも約３０％の類似性を有するものであり、又は、該ヌクレオチド配列が配列番号：１又はその相補形と低ストリンジェンシー条件下でハイブリッド形成できるものである核酸分子等を提供する。
【００４７】
本発明のまた別の一側面は、発現産物をコードするヌクレオチド配列、若しくは発現産物をコードする配列に相補的なヌクレオチド配列を含む核酸分子又はその誘導体、同族体、若しくは類似体であって、該ヌクレオチド配列が配列番号：２（ＡＧＴ−１２０）で実質的に表されるものであり、又はその誘導体、同族体、若しくは模倣体であり、又は配列番号：２の全て若しくは一部と少なくとも約３０％の類似性を有するものであり、又は該ヌクレオチド配列が配列番号：２又はその相補形と低ストリンジェンシー条件下でハイブリッド形成できるものである核酸分子を提供する。
【００４８】
本発明のさらに別の一側面は、発現産物をコードするヌクレオチド配列、若しくは発現産物をコードする配列に相補的なヌクレオチド配列を含む核酸分子又はその誘導体、同族体、若しくは類似体であって、該ヌクレオチド配列が配列番号：３（ＡＧＴ−１２１）で実質的に表されるものであり、又はその誘導体、同族体、若しくは模倣体であり、又は配列番号：３の全て若しくは一部と少なくとも約３０％の類似性を有するものであり、又は該ヌクレオチド配列が配列番号：３又はその相補形と低ストリンジェンシー条件下でハイブリッド形成できるものである核酸分子を提供する。
【００４９】
本発明のまた別の一側面は、発現産物をコードするヌクレオチド配列、若しくは発現産物をコードする配列に相補的なヌクレオチド配列を含む核酸分子又はその誘導体、同族体、若しくは類似体であって、該ヌクレオチド配列が配列番号：５（ＡＧＴ−１２２）で実質的に表されるものであり、又はその誘導体、同族体、若しくは模倣体であり、又は配列番号：５の全て若しくは一部と少なくとも約３０％の類似性を有するものであり、又は該ヌクレオチド配列が配列番号：５又はその相補形と低ストリンジェンシー条件下でハイブリッド形成できるものである核酸分子を提供する。
【００５０】
本発明のまた別の一側面は、発現産物をコードするヌクレオチド配列、若しくは発現産物をコードする配列に相補的なヌクレオチド配列を含む核酸分子又はその誘導体、同族体、若しくは類似体であって、該ヌクレオチド配列が配列番号：６（ＡＧＴ−４２２）で実質的に表されるものであり、又はその誘導体、同族体、若しくは模倣体であり、又は配列番号：６の全て若しくは一部と少なくとも約３０％の類似性を有するものであり、又は、該ヌクレオチド配列が配列番号：６又はその相補形と低ストリンジェンシー条件下でハイブリッド形成できるものである核酸分子を提供する。
【００５１】
本発明の別の一側面は、発現産物をコードするヌクレオチド配列、若しくは発現産物をコードする配列に相補的なヌクレオチド配列を含む核酸分子又はその誘導体、同族体、若しくは類似体であって、該ヌクレオチド配列が配列番号：７（ＡＧＴ−１２３）で実質的に表されるものであり、又はその誘導体、同族体、若しくは模倣体であり、又は配列番号：７の全て若しくは一部と少なくとも約３０％の類似性を有するものであり、又は該ヌクレオチド配列が配列番号：７又はその相補形と低ストリンジェンシー条件下でハイブリッド形成できるものである核酸分子を提供する。
【００５２】
本発明のさらに別の一側面は、発現産物をコードするヌクレオチド配列、若しくは発現産物をコードする配列に相補的なヌクレオチド配列を含む、核酸分子又はその誘導体、同族体、若しくは類似体であって、該ヌクレオチド配列が配列番号：８（ＡＧＴ−５０４  ゲノム）で実質的に表されるものであり、又はその誘導体、同族体、若しくは模倣体であり、又は配列番号：８の全て若しくは一部と少なくとも約３０％の類似性を有するものであり、又は該ヌクレオチド配列が配列番号：８又はその相補形と低ストリンジェンシー条件下でハイブリッド形成できるものである核酸分子を提供する。
【００５３】
本発明のまた別の一側面は、発現産物をコードするヌクレオチド配列、若しくは発現産物をコードする配列に相補的なヌクレオチド配列を含む、核酸分子又はその誘導体、同族体、若しくは類似体であって、該ヌクレオチド配列が配列番号：９（ＡＧＴ−５０４  ｃＤＮＡ）で実質的に表されるものであり、又はその誘導体、同族体、若しくは模倣体であり、又は配列番号：９の全て又は一部と少なくとも約３０％の類似性を有するものであり、又は該ヌクレオチド配列が配列番号：９又はその相補形と低ストリンジェンシー条件下でハイブリッド形成できるものである核酸分子を提供する。
【００５４】
ＡＧＴ−１１９、ＡＧＴ−１２０、ＡＧＴ−１２１、ＡＧＴ−１２２、ＡＧＴ−４２２、ＡＧＴ−１２３、及びＡＧＴ−５０４の発現パターンは、とりわけ、肥満症、摂食障害、体重維持、糖尿病及び／又はエネルギー代謝の一つ以上の調節に関与することを示すために測定した。給餌した動物に対して絶食した動物の、若しくは糖尿病の動物に対して糖尿病でない動物の、胃組織、肝臓組織、又は視床下部組織の一つ以上におけるＡＧＴ−１１９、ＡＧＴ−１２０、ＡＧＴ−１２１、ＡＧＴ−１２２、ＡＧＴ−４２２、ＡＧＴ−１２３、及びＡＧＴ−５０４の差異的発現に加えて、これらの遺伝子は、脳、筋肉、脂肪組織、膵臓、及び胃腸管（trait）を含むが決してこれらに限定されない他の組織でも発現することがある。ＡＧＴ−１１９、ＡＧＴ−１２０、ＡＧＴ−１２１、ＡＧＴ−１２２、ＡＧＴ−４２２、ＡＧＴ−１２３、又はＡＧＴ−５０４のそれぞれをコードする核酸分子は、ｃＤＮＡ配列やゲノムＤＮＡなどのＤＮＡであるのが好ましい。ゲノム配列はまた、エクソン及びイントロンを含んでも良い。ゲノム配列はまた、プロモーター領域、若しくは他の調節領域を含んでも良い。
【００５５】
同族体は、ＡＧＴ−１１９、ＡＧＴ−１２０、ＡＧＴ−１２１、ＡＧＴ−１２２、ＡＧＴ−４２２、ＡＧＴ−１２３、及びＡＧＴ−５０４の一つと同じか又は３０％を超える類似性を有する別の動物種及び／又は類似機能を有する別の動物種に由来する遺伝子であると考えられる。この上述の遺伝子は、本明細書ではプサモミス・オビーサスの胃、肝臓、又は視床下部から実証される。しかしながら本発明は、ヒト、霊長類、家畜動物（例えば、ウシ、ヒツジ、ブタ、ウマ、ロバ）、実験動物（例えば、マウス、モルモット、ハムスター、ウサギ）、愛玩動物（例えば、ネコ、イヌ）及び捕獲された野生動物（例えば、齧歯動物、キツネ、シカ、カンガルー）由来のヌクレオチド配列及び／又は機能により決定されるような相同遺伝子にも及ぶ。
【００５６】
本発明の核酸、及び特にＡＧＴ−１１９、ＡＧＴ−１２０、ＡＧＴ−１２１、ＡＧＴ−１２２、ＡＧＴ−４２２、ＡＧＴ−１２３及びＡＧＴ−５０４、並びにそれらの誘導体及び同族体は、単離された形又は精製された形であっても良く、及び／又は、発現ベクターなどのベクターに結合しても良い。発現は、真核細胞株（例えば、哺乳動物、昆虫又は酵母菌の細胞）又は原核細胞（例えば、大腸菌）、又はその双方において行わせても良い。「単離された」とは、核酸分子が少なくとも一度の精製工程を受けたことを意味し、これは例えば、分子量、コードする活性、ヌクレオチド配列、塩基組成又は他の便利な手段で測定されたとき、他の構成要素と比べて、本核酸分子を少なくとも約１０％、好ましくは少なくとも約２０％、より好ましくは少なくとも約３０％、さらに好ましくは少なくとも約４０〜５０％、さらに好ましくは少なくとも約６０〜７０％、もっと好ましくは８０〜９０％以上含む組成物であると、便宜的に定義される。本発明の核酸分子は、好ましい実施態様では生物学的に純粋であると考えても良い。該核酸分子は、原核細胞（例えば、大腸菌）又は真核細胞（例えば、酵母細胞、真菌細胞、昆虫細胞、哺乳動物細胞、又は植物細胞）内で発現できる発現ベクターに連結させても良い。この核酸分子は、例えばシグナルペプチドなどの別の実体をコードする核酸分子に連結又は融合又はその他の方法で結び付けても良い。この核酸分子はまた、３’末端若しくは５’末端部のいずれかで、又は３’末端と５’末端部の両方で核酸分子と融合、連結又はその他の方法で結びついた付加的なヌクレオチド配列情報を含んでも良い。この核酸分子は、発現ベクターなどのベクターの一部であっても良い。
【００５７】
本発明の核酸分子の誘導体は、オリゴヌクレオチド、ＰＣＲプライマー、アンチセンス分子、共抑制で用いるのに適した分子、及び融合核酸分子を含む。ＡＧＴ−１１９、ＡＧＴ−１２０、ＡＧＴ−１２１、ＡＧＴ−１２２、ＡＧＴ−４２２、ＡＧＴ−１２３及びＡＧＴ−５０４、又はそれらのｍＲＮＡに対するリボザイム及びＤＮＡ酵素も本発明で意図する。ＡＧＴ−１１９、ＡＧＴ−１２０、ＡＧＴ−１２１、ＡＧＴ−１２２、ＡＧＴ−４２２、ＡＧＴ−１２３及びＡＧＴ−５０４の誘導体及び同族体は、配列番号：１、配列番号：２又は配列番号：３又は配列番号：５又は配列番号：６又は配列番号：７又は配列番号：８又は配列番号：９又はそれらの相補形の一つ以上と低ストリンジェンシー条件下でハイブリッド形成できるこれらのヌクレオチド配列により便宜的に包含される。
【００５８】
誘導体は、天然資源、合成資源又は融合核酸分子を含む組換え資源由来の断片、一部、部分、突然変異体、変異体及び模倣体を含む。誘導体は、ヌクレオチドの挿入、欠失又は置換から誘導して良い。
【００５９】
本発明の別の一側面は、痩せた動物と比べて肥満動物の、又は絶食させた動物と比べて給餌（再給餌も含む）した動物の、又は非糖尿病状態の動物と比べて糖尿病状態の動物の、胃組織、肝臓組織、又は視床下部組織の一つ以上で、より大量若しくはより少量で生産される単離された発現産物又はその誘導体、同族体、類似体、若しくは模倣体を提供する。
【００６０】
発現産物は、上で示したようにＲＮＡ又はタンパク質であって良い。この産物がタンパク質である限りにおいては、誘導体は、アミノ末端融合及び／又はカルボキシル末端融合などのアミノ酸挿入誘導体、及び、一つ又は複数のアミノ酸の配列内挿入を含む。挿入アミノ酸配列変異体は、一つ以上のアミノ酸残基がタンパク質内の所定の部位に導入されたものであるが、無作為な挿入も結果的に得られる産物を適切にスクリーニングすることにより可能となる。欠失変異体は、元の配列から一つ以上のアミノ酸が除去されたことを特徴とする。置換アミノ酸変異体は、配列内の少なくとも一つの残基が除去され、その場所に異なる残基が挿入されたものである。置換アミノ酸変異体の一例は、同類アミノ酸置換である。同類アミノ酸置換は、通常は次のグループ内の置換を含む。即ち、グリシンとアラニン、バリンとイソロイシンとロイシン、アスパラギン酸とグルタミン酸、アスパラギンとグルタミン、セリンとトレオニン、リジンとアルギニン、及び、フェニルアラニンとチロシンである。アミノ酸配列への付加は、他のペプチド、ポリペプチド、又はタンパク質との融合を含む。
【００６１】
発現産物ＡＧＴ−１１９、ＡＧＴ−１２０、ＡＧＴ−１２１、ＡＧＴ−１２２、ＡＧＴ−４２２、ＡＧＴ−１２３又はＡＧＴ−５０４のタンパク質形の化学的及び機能的な等価物は、これらの分子の機能的活性の任意の一つ以上を示す分子であると解釈すべきであり、化学合成されるか天然産物スクリーニング若しくは化学ライブラリーのスクリーニングなどのスクリーニング工程により同定されるものなど、任意の資源から誘導されることがある。
【００６２】
これらの誘導体には、特定のエピトープ、又はペプチド、ポリペプチド、又は他のタンパク質性分子若しくは非タンパク質性分子に融合した完全なタンパク質の一部を有する断片が含まれる。
【００６３】
本明細書で、ＡＧＴ−１１９、ＡＧＴ−１２０、ＡＧＴ−１２１、ＡＧＴ−１２２、ＡＧＴ−４２２、ＡＧＴ−１２３又はＡＧＴ−５０４と言うときは、単離された又は精製された天然に存在するＡＧＴ−１１９、ＡＧＴ−１２０、ＡＧＴ−１２１、ＡＧＴ−１２２、ＡＧＴ−４２２、ＡＧＴ−１２３又はＡＧＴ−５０４、並びにその任意の誘導体、同族体、類似体及び模倣体についての言及が含まれる。誘導体には、ＡＧＴ−１１９、ＡＧＴ−１２０、ＡＧＴ−１２１、ＡＧＴ−１２２、ＡＧＴ−４２２、ＡＧＴ−１２３及びＡＧＴ−５０４の一部、断片及び部分が含まれ、並びに、発現産物がタンパク質である場合には、ＡＧＴ−１１９、ＡＧＴ−１２０、ＡＧＴ−１２１、ＡＧＴ−１２２、ＡＧＴ−４２２、ＡＧＴ−１２３及びＡＧＴ−５０４への一つ及び複数のアミノ酸の置換、欠失及び／又は付加が含まれる。ＡＧＴ−１１９、ＡＧＴ−１２０、ＡＧＴ−１２１、ＡＧＴ−１２２、ＡＧＴ−４２２、ＡＧＴ−１２３又はＡＧＴ−５０４の誘導体は、便宜上、配列番号：１又は配列番号：２又は配列番号：３又は配列番号：５又は配列番号：６又は配列番号：７又は配列番号：８又は配列番号：９と低ストリンジェンシー条件下でハイブリッド形成できるヌクレオチド配列によりコードされる分子によって包含される。
【００６４】
ＡＧＴ−１１９、ＡＧＴ−１２０、ＡＧＴ−１２１、ＡＧＴ−１２２、ＡＧＴ−４２２、ＡＧＴ−１２３及びＡＧＴ−５０４の他の誘導体には、化学的類似体が含まれる。本明細書で意図するＡＧＴ−１１９、ＡＧＴ−１２０、ＡＧＴ−１２１、ＡＧＴ−１２２、ＡＧＴ−４２２、ＡＧＴ−１２３及びＡＧＴ−５０４の類似体には、側鎖への修飾、及びペプチド合成、ポリペプチド合成又はタンパク質合成の間の非天然アミノ酸及び／又はその誘導体の組込み、並びに、タンパク質性分子又はその類似体に立体構造上の制約を課す架橋剤及び他の方法の使用が含まれるが、これらに限定するものではない。
【００６５】
本発明で意図する側鎖修飾の例には、アルデヒドとの反応に続くＮａＢＨ4による還元による還元的アルキル化、メチルアセチミデートによるアミジン化、無水酢酸によるアシル化、シアン酸塩によるアミノ基のカルバモイル化、２，４，６−トリニトロベンゼンスルホン酸（ＴＮＢＳ）によるアミノ基のトリニトロベンジル化、無水コハク酸と無水テトラヒドロフタル酸によるアミノ基のアシル化、及びピリドキサル−５−リン酸によるリジンのピリドキシル化に続くＮａＢＨ4による還元など、によるアミノ基の修飾が含まれる。
【００６６】
アルギニン残基のグアニジン基は、２，３−ブタンジオン、フェニルグリオキサール、及びグリオキサールなどの試薬による複素環縮合産物の形成により修飾しても良い。
【００６７】
カルボキシル基は、Ｏ−アシルイソ尿素の形成と、その後の例えば対応するアミドへの誘導化（derivitization）によるカルボジイミドの活性化により修飾しても良い。
【００６８】
スルフヒドリル基は、ヨード酢酸又はヨードアセトアミドによるカルボキシルメチル化や、システイン酸への過ギ酸酸化や、他のチオール化合物による混合ジスルフィドの形成や、マレイミドや無水マレイン酸又は他の置換マレイミドによる反応や、４−クロロメルクリ安息香酸、４−クロロメルクリフェニルスルホン酸、塩化フェニル水銀、２−クロロメルクリ−４−ニトロフェノール、及び他の水銀類を用いた水銀誘導体の形成や、アルカリ性ｐＨでのシアン酸塩によるカルバモイル化などの方法で修飾して良い。
【００６９】
トリプトファン残基は、例えば、Ｎ−ブロモスクシンイミドによる酸化、又は２−ヒドロキシ−５−ニトロベンジルブロマイド又はスルフェニルハライドによるインドール環のアルキル化により、修飾しても良い。一方チロシン残基は、テトラニトロメタンによりニトロ化し３−ニトロチロシン誘導体を形成することにより改変しても良い。
【００７０】
ヒスチジン残基のイミダゾール環の修飾は、ヨード酢酸誘導体によるアルキル化、又はジエチルピロカルボネートによるＮ−カルベトキシル化によって行っても良い。
【００７１】
ペプチド合成中に非天然アミノ酸と誘導体を取り込む例には、ノルロイシン、４−アミノ酪酸、４−アミノ−３−ヒドロキシ−５−フェニルペンタン酸、６−アミノヘキサン酸、ｔ−ブチルグリシン、ノルバリン、フェニルグリシン、オルニチン、サルコシン、４−アミノ−３−ヒドロキシ−６−メチルヘプタン酸、２−チエニルアラニン及び／又はアミノ酸のＤ−異性体の使用が含まれるが、これらに限定されない。本明細書で意図する非天然アミノ酸の一覧を表３に示す。
【００７２】
【表３】
2005510214.tif 000006
【００７３】
【表３−１】
2005510214.tif 000007
【００７４】
【表３−２】
2005510214.tif 000008
【００７５】
【表３−３】
2005510214.tif 000009
【００７６】
架橋剤は、例えば、ｎ＝１からｎ＝６の（ＣＨ2）nスペーサー基を持つ二官能性イミドエステルであるグルタルアルデヒド、Ｎ−ヒドロキシスクシンイミドエステルなどのホモ二官能性架橋剤、及び、通常はＮ−ヒドロキシスクシンイミドなどのアミノ反応性部分とマレイミド部分やジチオ部分（ＳＨ）若しくはカルボジイミド（ＣＯＯＨ）などの別の基に特異的に反応する部分を含むヘテロ二官能性試薬を用いて、３Ｄ立体構造を安定化させるのに使用できる。加えて、ペプチドは例えばＣα及びＮα−メチルアミノ酸の組込み、アミノ酸のＣαとＣβ原子間への二重結合の導入、及びＮ末端とＣ末端間、二つの側鎖間、又は一つの側鎖とＮ末端若しくはＣ末端の間にアミド結合を形成するなどの共有結合の導入による環状ペプチド又は類似体の形成により立体構造的な制約を加えることができる。
【００７７】
このような修飾は全て、イン・ビボでの投薬計画で用いるため、又は診断目的でＡＧＴ−１１９、ＡＧＴ−１２０、ＡＧＴ−１２１、ＡＧＴ−１２２、ＡＧＴ−４２２、ＡＧＴ−１２３及びＡＧＴ−５０４の分子を安定化するのにも有用である場合がある。
【００７８】
上で述べたように、該発現産物はＲＮＡ又はタンパク質であって良い。
【００７９】
用語「タンパク質」は、ペプチド、ポリペプチド、及びタンパク質を包含すると解すべきである。該タンパク質はグリコシル化されていてもグリコシル化されていなくても良く、及び／又は、アミノ酸、脂質、炭水化物、又はその他のペプチド、ポリペプチド又はタンパク質などの、タンパク質に融合、連結、結合、又はその他の方法で結びついた様々な他の分子を含んでも良い。以後「タンパク質」と言うときは、アミノ酸配列を含むタンパク質並びに、アミノ酸、脂質、炭水化物、又はその他のペプチド、ポリペプチド、若しくはタンパク質などの他の分子と結びついたタンパク質含む。
【００８０】
特に好ましい実施態様では、該発現産物は、配列番号：１を含むヌクレオチド配列により、又は配列番号：１と少なくとも約３０％の類似性を有するヌクレオチド配列、又は配列番号：１若しくはその相補形と低ストリンジェンシー条件下でハイブリッド形成できるヌクレオチド配列を含む、配列番号：１の誘導体、同族体若しくは類似体によりコードされる。
【００８１】
別の特に好ましい実施態様では、該発現産物は、配列番号：２を含むヌクレオチド配列により、又は配列番号：２と少なくとも約３０％の類似性を有するヌクレオチド配列、又は配列番号：２若しくはその相補形と低ストリンジェンシー条件下でハイブリッド形成できるヌクレオチド配列を含む、配列番号：２の誘導体、同族体若しくは類似体によりコードされる。
【００８２】
さらに別の特に好ましい実施態様では、該発現産物は、配列番号：３を含むヌクレオチド配列により、又は配列番号：３と少なくとも約３０％の類似性を有するヌクレオチド配列、又は配列番号：３若しくはその相補形と低ストリンジェンシー条件下でハイブリッド形成できるヌクレオチド配列を含む、配列番号：３の誘導体、同族体若しくは類似体によりコードされる。
【００８３】
また別の特に好ましい実施態様では、該発現産物は、配列番号：５を含むヌクレオチド配列により、又は配列番号：５と少なくとも約３０％の類似性を有するヌクレオチド配列、又は配列番号：５若しくはその相補形と低ストリンジェンシー条件下でハイブリッド形成できるヌクレオチド配列を含む、配列番号：５の誘導体、同族体若しくは類似体によりコードされる。
【００８４】
別の特に好ましい実施態様では、該発現産物は、配列番号：６を含むヌクレオチド配列により、又は配列番号：６と少なくとも約３０％の類似性を有するヌクレオチド配列、又は配列番号：６若しくはその相補形と低ストリンジェンシー条件下でハイブリッド形成できるヌクレオチド配列を含む、配列番号：６の誘導体、同族体若しくは類似体によりコードされる。
【００８５】
さらに特に好ましい実施態様では、該発現産物は、配列番号：７を含むヌクレオチド配列により、又は配列番号：７と少なくとも約３０％の類似性を有するヌクレオチド配列、又は配列番号：７若しくはその相補形と低ストリンジェンシー条件下でハイブリッド形成できるヌクレオチド配列を含む、配列番号：７の誘導体、同族体若しくは類似体によりコードされる。
【００８６】
さらに別の特に好ましい実施態様では、該発現産物は、配列番号：８を含むヌクレオチド配列により、又は配列番号：８と少なくとも約３０％の類似性を有するヌクレオチド配列、又は配列番号：８若しくはその相補形と低ストリンジェンシー条件下でハイブリッド形成できるヌクレオチド配列を含む、配列番号：８の誘導体、同族体若しくは類似体によりコードされる。
【００８７】
また別の特に好ましい実施態様では、該発現産物は、配列番号：９を含むヌクレオチド配列により、又は配列番号：９と少なくとも約３０％の類似性を有するヌクレオチド配列、又は配列番号：９若しくはその相補形と低ストリンジェンシー条件下でハイブリッド形成できるヌクレオチド配列を含む、配列番号：９の誘導体、同族体若しくは類似体によりコードされる。
＊＊＊＊＊＊＊＊＊＊＊＊＊＊＊＊＊＊＊＊＊＊＊＊＊＊＊＊＊＊＊＊＊＊
【００８８】
本発明では、４０％又は５０％又は６０％又は７０％又は８０％又は９０％又は９５％又は９６％又は９７％又は９８％又は９９％以上などの、より高度な類似性も意図する。  
【００８９】
本発明の別の一側面は、以下から成るリストから選択される、単離された発現産物に向けられている。
【００９０】
（i）  給餌した状態又は絶食の状態にあるプサモミス・オビーサス動物由来の、又は糖尿病若しくは非糖尿病の動物由来の胃組織、肝臓組織又は視床下部組織の一つ以上で差異的に発現する、新規な核酸分子によりコードされるｍＲＮＡ若しくはタンパク質、又はそれらの誘導体、同族体、類似体、化学的等価物若しくは模倣体。
【００９１】
（ii）  給餌した状態又は絶食の状態にあるプサモミス・オビーサス動物由来の、又は糖尿病若しくは非糖尿病の動物由来の胃組織、肝臓組織又は視床下部組織の一つ以上で差異的に発現する、新規な核酸分子によりコードされるｍＲＮＡ若しくはタンパク質、又はそれらの誘導体、同族体、類似体、化学的等価物若しくは模倣体。
【００９２】
（iii）  ＡＧＴ−１１９、ＡＧＴ−１２０、ＡＧＴ−１２１、ＡＧＴ−１２２、ＡＧＴ−４２２、ＡＧＴ−１２３、又はＡＧＴ−５０４、又は、それらの誘導体、同族体、類似体、化学的等価物若しくは模倣体。
【００９３】
（iv）  配列番号：１又はその誘導体、同族体、若しくは類似体を含むヌクレオチド配列により、又はこの配列と少なくとも約３０％の類似性を有するアミノ酸配列をコードする配列によりコードされるタンパク質、又は該タンパク質の誘導体、同族体、類似体、化学的等価物、若しくは模倣体。
【００９４】
（vi）  実質的に、配列番号：２又はその誘導体、同族体、若しくは類似体を含むヌクレオチド配列により、又はこの配列と少なくとも約３０％の類似性を有するアミノ酸配列をコードする配列によりコードされるタンパク質、又は該タンパク質の誘導体、同族体、類似体、化学的等価物、若しくは模倣体。
【００９５】
（vii）  実質的に、配列番号：３又はその誘導体、同族体、若しくは類似体を含むヌクレオチド配列により、又はこれらの配列と少なくとも約３０％の類似性を有するアミノ酸配列をコードする配列によりコードされるタンパク質、又は該タンパク質の誘導体、同族体、類似体、化学的等価物、若しくは模倣体。
【００９６】
（viii）  配列番号：４で実質的に表されるアミノ酸配列、又はその誘導体、同族体、若しくは類似体を含むか、又はこれらの配列と少なくとも約３０％の類似性を有するアミノ酸配列をコードする配列を含むタンパク質、又は該タンパク質の誘導体、同族体、類似体、化学的等価物、若しくは模倣体。
【００９７】
（ix）  実質的に、配列番号：５又はその誘導体、同族体、若しくは類似体を含むヌクレオチド配列により、又はこの配列と少なくとも約３０％の類似性を有するアミノ酸配列をコードする配列によりコードされるタンパク質、又は該タンパク質の誘導体、同族体、類似体、化学的等価物、若しくは模倣体。
【００９８】
（x）  実質的に、配列番号：６又はその誘導体、同族体、若しくは類似体を含むヌクレオチド配列により、又はこの配列と少なくとも約３０％の類似性を有するアミノ酸配列をコードする配列によりコードされるタンパク質、又は該タンパク質の誘導体、同族体、類似体、化学的等価物、若しくは模倣体。
【００９９】
（xi）  実質的に、配列番号：７又はその誘導体、同族体、若しくは類似体を含むヌクレオチド配列により、又はこの配列と少なくとも約３０％の類似性を有するアミノ酸配列をコードする配列によりコードされるタンパク質、又は該タンパク質の誘導体、同族体、類似体、化学的等価物、若しくは模倣体。
【０１００】
（xii）  実質的に、配列番号：８又はその誘導体、同族体、若しくは類似体を含むヌクレオチド配列により、又はこの配列と少なくとも約３０％の類似性を有するアミノ酸配列をコードする配列によりコードされるタンパク質、又は該タンパク質の誘導体、同族体、類似体、化学的等価物、若しくは模倣体。
【０１０１】
（xiii）  実質的に、配列番号：９又はその誘導体、同族体、若しくは類似体を含むヌクレオチド配列により、又はこの配列と少なくとも約３０％の類似性を有するアミノ酸配列をコードする配列によりコードされるタンパク質、又は該タンパク質の誘導体、同族体、類似体、化学的等価物、若しくは模倣体。
【０１０２】
（xiv）  配列番号：１若しくはその相補形を含むヌクレオチド配列又はその誘導体、同族体、若しくは類似体と、低ストリンジェンシー条件下でハイブリッド形成できる核酸分子によりコードされるタンパク質。
【０１０３】
（xv）  配列番号：２若しくはその相補形を含むヌクレオチド配列又はその誘導体、同族体、若しくは類似体と、低ストリンジェンシー条件下でハイブリッド形成できる核酸分子によりコードされるタンパク質。
【０１０４】
（xvi）配列番号：３若しくはその相補形を含むヌクレオチド配列又はその誘導体、同族体、若しくは類似体と、低ストリンジェンシー条件下でハイブリッド形成できる核酸分子によりコードされるタンパク質。
【０１０５】
（xvii）  配列番号：５若しくはその相補形を含むヌクレオチド配列又はその誘導体、同族体、若しくは類似体と、低ストリンジェンシー条件下でハイブリッド形成できる核酸分子によりコードされるタンパク質。
【０１０６】
（xviii）  配列番号：６若しくはその相補形を含むヌクレオチド配列又はその誘導体、同族体、若しくは類似体と、低ストリンジェンシー条件下でハイブリッド形成できる核酸分子によりコードされるタンパク質。
【０１０７】
（xix）  配列番号：７若しくはその相補形を含むヌクレオチド配列又はその誘導体、同族体、若しくは類似体と、低ストリンジェンシー条件下でハイブリッド形成できる核酸分子によりコードされるタンパク質。
【０１０８】
（xx）  配列番号：８若しくはその相補形を含むヌクレオチド配列又はその誘導体、同族体、若しくは類似体と、低ストリンジェンシー条件下でハイブリッド形成できる核酸分子によりコードされるタンパク質。
【０１０９】
（xxi）  配列番号：９若しくはその相補形を含むヌクレオチド配列又はその誘導体、同族体、若しくは類似と、低ストリンジェンシー条件下でハイブリッド形成できる核酸分子によりコードされるタンパク質。
【０１１０】
発現産物の一例は、配列番号：４（ＡＧＴ−１２１）で表されるアミノ酸配列である。  
【０１１１】
本発明のタンパク質は、単離された形であるのが好ましい。「単離された」とは、少なくとも一度の精製工程を受けたタンパク質を意味し、これは便宜上、分子量、アミノ酸配列、又は他の便宜的な手法で測定したとき、他の成分と比べて例えば少なくとも約１０％の本発明のタンパク質、好ましくは少なくとも約２０％の、より好ましくは少なくとも約３０％の、さらに好ましくは少なくとも約４０〜５０％の、またさらに好ましくは少なくとも約６０〜７０％の、もっと好ましくは８０〜９０％以上の本発明のタンパク質を含む組成物により定義される。本発明のタンパク質はまた、好ましい実施態様では、生物学的に純粋であるとみなして良い。
【０１１２】
本発明の理論又は作用様式を制限することなく、ＡＧＴ−１１９、ＡＧＴ−１２０、ＡＧＴ−１２１、ＡＧＴ−１２２、ＡＧＴ−４２２、ＡＧＴ−１２３及び／又はＡＧＴ−５０４の発現は、体重及びブドウ糖恒常性の調節に関連すると考えられる。これらの遺伝子の発現の調節は、とりわけエネルギー摂取への効果、及び炭水化物／脂肪代謝への効果を介してエネルギー均衡を調節すると考えられる。エネルギー摂取への効果は、中枢神経系によって仲介される可能性があるが、炭水化物と脂肪の両方の代謝に及ぼす末梢の効果も考えられる。これらの遺伝子の発現は、絶食と給餌で調節しても良い。従ってこれらの遺伝子又はそれらの発現産物の発現及び／又は活性の調節は、体重及び炭水化物代謝や脂肪代謝を含むエネルギー代謝の双方を調節するためのメカニズムを提供する。
【０１１３】
ＡＧＴ−１１９、ＡＧＴ−１２０、ＡＧＴ−１２１、ＡＧＴ−１２２、ＡＧＴ−４２２、ＡＧＴ−１２３及びＡＧＴ−５０４の同定化により、ＡＧＴ−１１９、ＡＧＴ−１２０、ＡＧＴ−１２１、ＡＧＴ−１２２、ＡＧＴ−４２２、ＡＧＴ−１２３及びＡＧＴ−５０４の発現を変更できる、又はＡＧＴ−１１９、ＡＧＴ−１２０、ＡＧＴ−１２１、ＡＧＴ−１２２、ＡＧＴ−４２２、ＡＧＴ−１２３及びＡＧＴ−５０４の活性を変更できる、様々な治療用分子の作成が可能になる。本発明で意図するモジュレーターには、ＡＧＴ−１１９、ＡＧＴ−１２０、ＡＧＴ−１２１、ＡＧＴ−１２２、ＡＧＴ−４２２、ＡＧＴ−１２３及びＡＧＴ−５０４の発現のアゴニスト及びアンタゴニストが含まれる。ＡＧＴ−１１９、ＡＧＴ−１２０、ＡＧＴ−１２１、ＡＧＴ−１２２、ＡＧＴ−４２２、ＡＧＴ−１２３及びＡＧＴ−５０４の発現のアンタゴニストには、アンチセンス分子、リボザイム及び共抑制分子（ＲＮＡｉを誘導する任意の分子を含む）が含まれる。アゴニストには、プロモーター活性を増強する分子、又は負の調節機構を妨害する分子が含まれる。ＡＧＴ−１１９、ＡＧＴ−１２０、ＡＧＴ−１２１、ＡＧＴ−１２２、ＡＧＴ−４２２、ＡＧＴ−１２３及びＡＧＴ−５０４のアンタゴニストには、抗体や阻害剤のペプチド断片が含まれる。このような分子は全て、このような分子が細胞膜を貫通できるようにまず修飾する必要がある場合がある。または、遺伝子要素を導入してＡＧＴ−１１９、ＡＧＴ−１２０、ＡＧＴ−１２１、ＡＧＴ−１２２、ＡＧＴ−４２２、ＡＧＴ−１２３及びＡＧＴ−５０４の発現を変更するために、ウイルス性物質を採用しても良い。ＡＧＴ−１１９、ＡＧＴ−１２０、ＡＧＴ−１２１、ＡＧＴ−１２２、ＡＧＴ−４２２、ＡＧＴ−１２３及びＡＧＴ−５０４がレプチンをコードするｏｂ遺伝子などの他の遺伝子と共に作用している限りにおいては、該治療用分子はＡＧＴ−１１９、ＡＧＴ−１２０、ＡＧＴ−１２１、ＡＧＴ−１２２、ＡＧＴ−４２２、ＡＧＴ−１２３及びＡＧＴ−５０４、及びｏｂ遺伝子、又はそれらの翻訳産物を標的として良い。
【０１１４】
従って本発明は、哺乳動物におけるＡＧＴ−１１９、ＡＧＴ−１２０、ＡＧＴ−１２１、ＡＧＴ−１２２、ＡＧＴ−４２２、ＡＧＴ−１２３及びＡＧＴ−５０４の発現を変更する方法であって、ＡＧＴ−１１９、ＡＧＴ−１２０、ＡＧＴ−１２１、ＡＧＴ−１２２、ＡＧＴ−４２２、ＡＧＴ−１２３及びＡＧＴ−５０４遺伝子を、ＡＧＴ−１１９、ＡＧＴ−１２０、ＡＧＴ−１２１、ＡＧＴ−１２２、ＡＧＴ−４２２、ＡＧＴ−１２３及びＡＧＴ−５０４の発現を高レベル調節、低レベル調節、又はその他の方法で変更するのに十分な時間及び条件の下で、ＡＧＴ−１１９、ＡＧＴ−１２０、ＡＧＴ−１２１、ＡＧＴ−１２２、ＡＧＴ−４２２、ＡＧＴ−１２３及びＡＧＴ−５０４の発現のモジュレーターの効果的な量と接触させる工程を含む方法を意図する。
【０１１５】
例えば、ＡＧＴ−１１９、ＡＧＴ−１２０、ＡＧＴ−１２１、ＡＧＴ−１２２、ＡＧＴ−４２２、ＡＧＴ−１２３及びＡＧＴ−５０４、又はその誘導体若しくは同族体をコードする核酸分子を細胞内に導入して、その細胞がＡＧＴ−１１９、ＡＧＴ−１２０、ＡＧＴ−１２１、ＡＧＴ−１２２、ＡＧＴ−４２２、ＡＧＴ−１２３及びＡＧＴ−５０４を生産する能力を増強しても良く、逆に、ＡＧＴ−１１９、ＡＧＴ−１２０、ＡＧＴ−１２１、ＡＧＴ−１２２、ＡＧＴ−４２２、ＡＧＴ−１２３及びＡＧＴ−５０４のセンス配列及び／又はオリゴヌクレオチドなどのアンチセンス配列を導入して、転写レベル、転写後レベル、又は翻訳レベルで該遺伝子の発現を減少させても良い。センス配列は、ヘアピンＲＮＡ分子や２重鎖ＲＮＡ分子をコードするのが好ましい。
【０１１６】
本発明の別の一側面は、哺乳動物におけるＡＧＴ−１１９、ＡＧＴ−１２０、ＡＧＴ−１２１、ＡＧＴ−１２２、ＡＧＴ−４２２、ＡＧＴ−１２３及びＡＧＴ−５０４の活性を変更する方法であって、該哺乳動物に、ＡＧＴ−１１９、ＡＧＴ−１２０、ＡＧＴ−１２１、ＡＧＴ−１２２、ＡＧＴ−４２２、ＡＧＴ−１２３及びＡＧＴ−５０４の活性を増大又は減少させるのに十分な時間及び条件の下で、活性の変更に効果的な量の分子を投与する工程を含む方法を意図する。この分子は、タンパク質性分子又は化学物質であっても良く、ＡＧＴ−１１９、ＡＧＴ−１２０、ＡＧＴ−１２１、ＡＧＴ−１２２、ＡＧＴ−４２２、ＡＧＴ−１２３及びＡＧＴ−５０４の誘導体、又はそのリガンドであっても良い。
【０１１７】
ＡＧＴ−１１９、ＡＧＴ−１２０、ＡＧＴ−１２１、ＡＧＴ−１２２、ＡＧＴ−４２２、ＡＧＴ−１２３及びＡＧＴ−５０４の発現レベル、又はＡＧＴ−１１９、ＡＧＴ−１２０、ＡＧＴ−１２１、ＡＧＴ−１２２、ＡＧＴ−４２２、ＡＧＴ−１２３及び／若しくはＡＧＴ−５０４の活性レベル若しくは機能レベルを変更することは、肥満症、摂食障害、エネルギー不均衡、糖尿病、代謝症候群、異脂肪血症、高血圧症、インスリン抵抗などの、様々な状態の治療に重要である。これは、農産業において、より痩せた動物、又は必要であればより太った動物の生産を支援するのにも有用である。従って、本発明で意図する哺乳動物は、ヒト、霊長類、家畜動物（例えば、ブタ、ヒツジ、ウシ、ウマ、ロバ）、実験動物（例えば、マウス、ラット、モルモット、ハムスター、ウサギ）、愛玩動物（例えば、イヌ、ネコ）、及び捕獲された野生動物（例えば、キツネ、カンガルー、シカ）を含むが、これらに限定されない。特に好ましい宿主は、ヒト、霊長類、又は家畜動物である。
【０１１８】
従って本発明は、ＡＧＴ−１１９、ＡＧＴ−１２０、ＡＧＴ−１２１、ＡＧＴ−１２２、ＡＧＴ−４２２、ＡＧＴ−１２３及び／又はＡＧＴ−５０４の発現産物の、又はＡＧＴ−１１９、ＡＧＴ−１２０、ＡＧＴ−１２１、ＡＧＴ−１２２、ＡＧＴ−４２２、ＡＧＴ−１２３及びＡＧＴ−５０４の遺伝子突然変異体の、及び／又はそれらのアゴニスト物質若しくはアンタゴニスト物質の、治療上及び予防上の使用を意図する。
【０１１９】
従って本発明は、哺乳動物におけるＡＧＴ−１１９、ＡＧＴ−１２０、ＡＧＴ−１２１、ＡＧＴ−１２２、ＡＧＴ−４２２、ＡＧＴ−１２３及び／又はＡＧＴ−５０４の発現を変更する方法であって、ＡＧＴ−１１９、ＡＧＴ−１２０、ＡＧＴ−１２１、ＡＧＴ−１２２、ＡＧＴ−４２２、ＡＧＴ−１２３及びＡＧＴ−５０４の発現を高レベル調節、低レベル調節、又はその他の方法で変更するのに十分な時間及び条件の下で、ＡＧＴ−１１９、ＡＧＴ−１２０、ＡＧＴ−１２１、ＡＧＴ−１２２、ＡＧＴ−４２２、ＡＧＴ−１２３及び／又はＡＧＴ−５０４の遺伝子を、効果的な量の物質と接触させる工程を含む方法を意図する。
【０１２０】
本発明の別の一側面は、被検体におけるＡＧＴ−１１９、ＡＧＴ−１２０、ＡＧＴ−１２１、ＡＧＴ−１２２、ＡＧＴ−４２２、ＡＧＴ−１２３及び／又はＡＧＴ−５０４の活性を変更する方法であって、ＡＧＴ−１１９、ＡＧＴ−１２０、ＡＧＴ−１２１、ＡＧＴ−１２２、ＡＧＴ−４２２、ＡＧＴ−１２３及び／又はＡＧＴ−５０４の活性若しくは機能を、増加又は減少させるのに十分な時間及び条件の下で、活性の変更に効果的な量の物質を該被検体に投与する工程を含む方法を意図する。
【０１２１】
哺乳動物にある物質を投与することによる活性の変更は、タンパク質性若しくは非タンパク質性の次のような分子を哺乳動物に導入する工程を含むがこれに限定されない幾つかの方法の一つで達成できる：
（i）  ＡＧＴ−１１９、ＡＧＴ−１２０、ＡＧＴ−１２１、ＡＧＴ−１２２、ＡＧＴ− ４２２、ＡＧＴ−１２３及び／又はＡＧＴ−５０４の発現を変更する、
（ii）  ＡＧＴ−１１９、ＡＧＴ−１２０、ＡＧＴ−１２１、ＡＧＴ−１２２、ＡＧＴ−        ４２２、ＡＧＴ−１２３及び／又はＡＧＴ−５０４のアンタゴニストとして機能        する、及び／又は
（iii）ＡＧＴ−１１９、ＡＧＴ−１２０、ＡＧＴ−１２１、ＡＧＴ−１２２、ＡＧＴ−        ４２２、ＡＧＴ−１２３及び／又はＡＧＴ−５０４のアゴニストとして機能する        。
【０１２２】
本発明に基づく哺乳動物に投与され得る分子はまた、これらの分子を標的細胞に特異的に送達する、モノクローナル抗体などの標的化手段と結び付けても良い。
【０１２３】
本発明のさらに別の側面は、哺乳動物の病状に関する発明の使用に関する。例えば、本発明はとりわけ、肥満症、摂食障害、糖尿病若しくはエネルギー不均衡の治療的処置若しくは予防的処置に有益である。
【０１２４】
従って、本発明の別の側面は、肥満症、摂食障害、糖尿病及び／又はエネルギー不均衡の一つ以上の症状により特徴付けられる状態を患う哺乳動物の治療法であって、ＡＧＴ−１１９、ＡＧＴ−１２０、ＡＧＴ−１２１、ＡＧＴ−１２２、ＡＧＴ−４２２、ＡＧＴ−１２３及び／又はＡＧＴ−５０４の発現を変更するのに十分な、又はＡＧＴ−１１９、ＡＧＴ−１２０、ＡＧＴ−１２１、ＡＧＴ−１２２、ＡＧＴ−４２２、ＡＧＴ−１２３及び／又はＡＧＴ−５０４の活性を変更するのに十分な時間及び条件下で、変更に効果的な量の物質を該哺乳動物に投与する工程を含む方法に関する。
に関する。
【０１２５】
他の側面において、本発明は、肥満症、摂食障害、糖尿病若しくはエネルギー不均衡の一つ以上の病状により特徴付けられる症状を患う哺乳動物の治療法であって、該哺乳動物に効果的な量のＡＧＴ−１１９、ＡＧＴ−１２０、ＡＧＴ−１２１、ＡＧＴ−１２２、ＡＧＴ−４２２、ＡＧＴ−１２３及び／又はＡＧＴ−５０４又はＡＧＴ−１１９、ＡＧＴ−１２０、ＡＧＴ−１２１、ＡＧＴ−１２２、ＡＧＴ−４２２、ＡＧＴ−１２３及び／又はＡＧＴ−５０４を投与する工程を含む方法に関する。
【０１２６】
作用物質には、抗体、天然産物、化学物質、若しくは核酸分子（アンチセンス分子、センス分子、リボザイム、ｄｓ−ＲＮＡ分子、又はＤＮＡ−標的分子を含む）などの、タンパク質分子性若しくは非タンパク質性分子が含まれる。
【０１２７】
「効果的な量」とは、少なくとも部分的には所望の免疫反応（例えば、ＡＧＴ−１１９、ＡＧＴ−１２０、ＡＧＴ−１２１、ＡＧＴ−１２２、ＡＧＴ−４２２、ＡＧＴ−１２３又はＡＧＴ−５０４に対する免疫反応）に達するのに必要な量、又は、ある特定の状態の発症を遅らせるか、進行を阻害するか、又は発症若しくは進行を完全に停止させるのに必要な量を意味する。
【０１２８】
これらの方法に基づき、ＡＧＴ−１１９、ＡＧＴ−１２０、ＡＧＴ−１２１、ＡＧＴ−１２２、ＡＧＴ−４２２、ＡＧＴ−１２３及び／又はＡＧＴ−５０４、又はＡＧＴ−１１９、ＡＧＴ−１２０、ＡＧＴ−１２１、ＡＧＴ−１２２、ＡＧＴ−４２２、ＡＧＴ−１２３及び／又はＡＧＴ−５０４、又は該分子の発現若しくは活性を変更できる物質を、一つ以上の他の化合物若しくは他の分子と同時投与しても良い。「同時投与」とは、同じ製剤での同時投与、又は同じ経路若しくは異なる経路による同じ製剤若しくは二つの異なる製剤での同時投与、又は、同じ経路若しくは異なる経路による逐次投与を意味する。「逐次」投与とは、２種類の分子の投与の間に、数秒、数分、数時間、又は数日間の時間的差異があることを意味する。これらの分子はどの順序で投与しても良い。
【０１２９】
また別の一側面では、本発明は、肥満症、摂食障害、体重維持、糖尿病及び／又はエネルギー不均衡を特徴とする状態を治療するための医薬の製造における、ＡＧＴ−１１９、ＡＧＴ−１２０、ＡＧＴ−１２１、ＡＧＴ−１２２、ＡＧＴ−４２２、ＡＧＴ−１２３及び／又はＡＧＴ−５０４又はその誘導体、同族体若しくは類似体の発現を変更できる物質の使用に関する。
【０１３０】
さらにまた別の一側面では、本発明は、肥満症、摂食障害、体重維持、糖尿病及び／又はエネルギー不均衡を特徴とする状態を治療するための医薬の製造における、ＡＧＴ−１１９、ＡＧＴ−１２０、ＡＧＴ−１２１、ＡＧＴ−１２２、ＡＧＴ−４２２、ＡＧＴ−１２３及び／又はＡＧＴ−５０４又はその誘導体、同族体、類似体、化学的等価物、若しくは模倣体の活性を変更できる物質の使用に関する。
【０１３１】
本発明のさらに別の一側面は、肥満症、摂食障害、体重維持、糖尿病及び／又はエネルギー不均衡を特徴とする状態を治療するための医薬の製造における、ＡＧＴ−１１９、ＡＧＴ−１２０、ＡＧＴ−１２１、ＡＧＴ−１２２、ＡＧＴ−４２２、ＡＧＴ−１２３及び／又はＡＧＴ−５０４又はその誘導体、同族体若しくは類似体、又は、ＡＧＴ−１１９、ＡＧＴ−１２０、ＡＧＴ−１２１、ＡＧＴ−１２２、ＡＧＴ−４２２、ＡＧＴ−１２３及び／又はＡＧＴ−５０４又はその誘導体、同族体、類似体、化学的等価物、若しくは模倣体の使用に関する。
【０１３２】
本発明のまた別の一側面は、ＡＧＴ−１１９、ＡＧＴ−１２０、ＡＧＴ−１２１、ＡＧＴ−１２２、ＡＧＴ−４２２、ＡＧＴ−１２３及び／又はＡＧＴ−５０４又はその誘導体、同族体若しくは類似体の発現を変更するのに用いる物質に関する。
【０１３３】
さらに別の一側面は、ＡＧＴ−１１９、ＡＧＴ−１２０、ＡＧＴ−１２１、ＡＧＴ−１２２、ＡＧＴ−４２２、ＡＧＴ−１２３及び／又はＡＧＴ−５０４の活性又はその誘導体、同族体、類似体、化学的等価物若しくは模倣体の活性を変更するのに用いる物質に関する。
【０１３４】
本発明のさらに別の一側面は、肥満症、摂食障害、体重維持、糖尿病及び／又はエネルギー不均衡の一つ以上の症状で特徴付けられる状態の治療に用いられる、ＡＧＴ−１１９、ＡＧＴ−１２０、ＡＧＴ−１２１、ＡＧＴ−１２２、ＡＧＴ−４２２、ＡＧＴ−１２３及び／又はＡＧＴ−５０４又はその誘導体、同族体若しくは類似体、又は、ＡＧＴ−１１９、ＡＧＴ−１２０、ＡＧＴ−１２１、ＡＧＴ−１２２、ＡＧＴ−４２２、ＡＧＴ−１２３及び／又はＡＧＴ−５０４又はその誘導体、同族体、類似体、化学的等価物若しくは模倣体に関する。
【０１３５】
本発明の関連する側面では、治療を受ける哺乳動物は、治療処置若しくは予防処置が必要なヒト若しくは哺乳動物であって良い。
【０１３６】
従って本発明は、一つの実施態様で、ＡＧＴ−１１９、ＡＧＴ−１２０、ＡＧＴ−１２１、ＡＧＴ−１２２、ＡＧＴ−４２２、ＡＧＴ−１２３及びＡＧＴ−５０４の発現のモジュレーター、又はＡＧＴ−１１９、ＡＧＴ−１２０、ＡＧＴ−１２１、ＡＧＴ−１２２、ＡＧＴ−４２２、ＡＧＴ−１２３及びＡＧＴ−５０４の活性のモジュレーター、及び一つ以上の薬学的に許容できる担体及び／又は希釈剤を含む組成物を意図する。別の実施態様では、この組成物はＡＧＴ−１１９、ＡＧＴ−１２０、ＡＧＴ−１２１、ＡＧＴ−１２２、ＡＧＴ−４２２、ＡＧＴ−１２３及びＡＧＴ−５０４又はその誘導体、同族体、類似体若しくは模倣体、及び薬学的に許容できる一つ以上の担体及び／又は希釈剤を含む。これらの組成物は、レプチン又はレプチン活性若しくはｏｂ発現の調節因子を含んでも良い。  
【０１３７】
略して、このような組成物のこのような成分を全て、「活性成分」と呼ぶ。
【０１３８】
注射使用に適した剤形での活性成分の組成物には、滅菌水溶液（水溶性の場合）、及び、滅菌注射溶液の即時調製用の滅菌粉末が含まれる。いずれの場合にも、その剤形は無菌でなければならず、注入が容易である程度の流体でなければならない。この剤形は製造条件及び保存条件の下で安定していなければならず、細菌や真菌類などの微生物の汚染作用から保護されなければならない。
【０１３９】
該担体は、例えば、水、エタノール、ポリオール（例えば、グリセロール、プロピレングリコール及び液体ポリエチレングリコールなど）、その適切な混合物、及び植物油を含む溶媒又は他の媒体であり得る。
【０１４０】
微生物の作用の防止は、例えば、パラベン、クロロブタノール、フェノール、ソルビン酸、チメロサール（thirmerosal）などの、様々な抗細菌物質及び抗真菌物質によって行うことができる。多くの場合は、例えば、糖や塩化ナトリウムなどの等張性物質を含めることが好ましい。注射可能組成物の持続的な吸収は、例えば、モノステアリン酸アルミニウムやゼラチンなどの、吸収を遅延させる物質を組成物に用いることにより達成できる。  
【０１４１】
滅菌注射溶液は、必要量の活性成分を、必要であれば任意選択的に他の成分と共に、適切な溶媒に混合し、次いで例えば濾過滅菌、照射又は他の便宜的な手段で滅菌して調製する。滅菌注射溶液の調製用の滅菌粉末の場合、好ましい調製法は真空乾燥及び凍結乾燥の技法である。この場合、活性成分と所望の付加的な成分の粉末が事前に濾過滅菌したその溶液から得られる。
【０１４２】
ＡＧＴ−１１９、ＡＧＴ−１２０、ＡＧＴ−１２１、ＡＧＴ−１２２、ＡＧＴ−４２２、ＡＧＴ−１２３及びＡＧＴ−５０４、又は、ＡＧＴ−１１９、ＡＧＴ−１２０、ＡＧＴ−１２１、ＡＧＴ−１２２、ＡＧＴ−４２２、ＡＧＴ−１２３及びＡＧＴ−５０４が適切に保護されている場合には、これらは例えば不活性な希釈剤又は同化可能な食用担体と共に経口投与しても良く、硬殻又は軟殻のゼラチンカプセル中に封入しても良く、又は圧縮して錠剤にしても良く、又は食事の食物に直接混ぜても良い。経口治療投与には、該活性成分は賦形剤と混合しても良く、摂取可能な錠剤、バッカル錠、トローチ、カプセル、エリキシル剤、懸濁液、シロップ、カシェ剤などの剤形で用いても良い。このような組成物及び製剤は、少なくとも１重量％の活性化合物を含むべきである。組成物と製剤のパーセンテージは、当然変えても良く、便宜的に単位重量当たり約５％から約８０％の間であって良い。このような治療に有用な組成物中の活性化合物の量は、適切な投与量が得られるような量である。本発明の好ましい組成物又は製剤は、経口投与単位剤形が活性化合物を約０．１μｇ〜２０００ｍｇの間で含むように調製する。
【０１４３】
錠剤、トローチ、丸薬、カプセルなどは、次に挙げるものを含んでも良い。即ち、トラガカントゴム、アカシア、コーンスターチ又はゼラチンなどの結合剤、リン酸二カルシウムなどの賦形剤、コーンスターチ、片栗粉、アルギン酸などの崩壊剤、ステアリン酸マグネシウムなどの潤滑剤、及び、ショ糖、ラクトース又はサッカリンなどの甘味料を添加しても良く、ペパーミント、冬緑油又はチェリーの風味などの香料を添加しても良い。投与単位剤形がカプセルの場合は、上で述べた種類の物質に加えて、液体の担体を含んでも良い。様々な他の物質が被覆剤として、又はその他の方法で投与単位の物理剤形を改変するために存在しても良い。例えば、錠剤、丸薬又はカプセルは、シェラック、糖又はその両方で被覆しても良い。シロップ又はエリキシルは、該活性化合物、甘味料としてのショ糖、保存剤としてのメチルパラベン及びプロピルパラベン、着色料、及びチェリーやオレンジなどの香料を含んで良い。当然、いずれの投与単位剤形の調製に用いられる如何なる物質も、薬学的に純粋で使用した量において実質的に無害でなければならない。さらに、該活性化合物は、徐放性の調製品及び製剤に混合しても良い。
【０１４４】
薬学的に許容できる担体及び／又は希釈剤には、任意の及び全ての溶媒、分散媒、被覆剤、抗細菌物質並びに抗真菌物質、等張剤並びに吸収遅延物質などが含まれる。薬学的に活性な物質にこのような媒体及び物質を使用することは、当分野では良く知られている。いかなる通常の媒体又は物質も、活性成分と配合禁忌である場合を除き、治療用組成物におけるそれらの使用が意図される。補充的な活性成分もまた、これらの組成物に混合することができる。
【０１４５】
投与の簡便性と投与量の均一性のため、非経口組成物を投与単位剤形で製剤することは特に有用である。本明細書で用いる投与単位剤形とは、処置を受ける哺乳動物被検体への単位投与量として適した物理的に分離した単位を指し、それぞれの単位は必要な薬学的担体と共に所望の治療効果を生ずるように計算された事前に決められた量の活性物質を含む。本発明の新規な投与単位剤形の仕様は、（ａ）活性物質の独特の特性及び達成すべき特定の治療効果、及び（ｂ）本明細書で詳細に開示するような身体的な健康が損なわれた疾病状態を有する生体被検体の病気を治療するためのかかる活性物質を混合する、当分野に固有の制限によって決定され、これらに直接依存する。
【０１４６】
主要な活性成分は、便利で効果的な投与のために、薬学的に許容できる適切な担体と共に、十分な量で投与単位剤形中に混合され得る。投与単位剤形は、主要な活性成分を例えば０．５μｇから約２０００ｍｇの範囲の量で含むことができる。比率で表すと、活性成分は一般的には担体の約０．５μｇから約２０００ｍｇ／ｍｌまでで存在する。補足的な活性成分を含む組成物の場合は、投与量は該成分の通常の投与量及び投与方法を参考に決定される。
【０１４７】
大まかに言えば、ＡＧＴ−１１９、ＡＧＴ−１２０、ＡＧＴ−１２１、ＡＧＴ−１２２、ＡＧＴ−４２２、ＡＧＴ−１２３及びＡＧＴ−５０４、又はＡＧＴ−１１９、ＡＧＴ−１２０、ＡＧＴ−１２１、ＡＧＴ−１２２、ＡＧＴ−４２２、ＡＧＴ−１２３及びＡＧＴ−５０４の効果的な量は、０．０１ｎｇ／ｋｇ／体重から１０，０００ｍｇ／ｋｇ／体重以上までの範囲であろう。代替量は、０．１ｎｇ／ｋｇ／体重から１０００ｍｇ／ｋｇ／体重以上までの範囲である。活性成分は、処置される状態により、分、時間、日、週、月又は年ごとに投与して良い。投与の経路は変えても良く、静脈内、腹膜内、皮下、筋肉内、鼻腔内の投与、座薬、注入、点滴、経口又は他の便宜的な手段による投与を含む。
【０１４８】
医薬組成物はまた、標的細胞をトランスフェクトできるベクターなどの遺伝子分子であって、該ベクターがＡＧＴ−１１９、ＡＧＴ−１２０、ＡＧＴ−１２１、ＡＧＴ−１２２、ＡＧＴ−４２２、ＡＧＴ−１２３及びＡＧＴ−５０４の発現、又はＡＧＴ−１１９、ＡＧＴ−１２０、ＡＧＴ−１２１、ＡＧＴ−１２２、ＡＧＴ−４２２、ＡＧＴ−１２３及びＡＧＴ−５０４の活性を変更できる核酸分子を保持するものである遺伝子分子を含んでも良い。このベクターは、例えばウイルス性ベクターである。
【０１４９】
本発明のまた別の一側面は、ＡＧＴ−１１９、ＡＧＴ−１２０、ＡＧＴ−１２１、ＡＧＴ−１２２、ＡＧＴ−４２２、ＡＧＴ−１２３及びＡＧＴ−５０４がタンパク質である限り、ＡＧＴ−１１９、ＡＧＴ−１２０、ＡＧＴ−１２１、ＡＧＴ−１２２、ＡＧＴ−４２２、ＡＧＴ−１２３及びＡＧＴ−５０４、及びその誘導体及び同族体に対する抗体に向けられている。このような抗体は、モノクローナル又はポリクローナルであって良く、ＡＧＴ−１１９、ＡＧＴ−１２０、ＡＧＴ−１２１、ＡＧＴ−１２２、ＡＧＴ−４２２、ＡＧＴ−１２３及びＡＧＴ−５０４に対する天然に存在する抗体から選択しても良く、又は、ＡＧＴ−１１９、ＡＧＴ−１２０、ＡＧＴ−１２１、ＡＧＴ−１２２、ＡＧＴ−４２２、ＡＧＴ−１２３及びＡＧＴ−５０４又はその誘導体若しくは同族体に対して特異的に形成させても良い。後者の場合、ＡＧＴ−１１９、ＡＧＴ−１２０、ＡＧＴ−１２１、ＡＧＴ−１２２、ＡＧＴ−４２２、ＡＧＴ−１２３及びＡＧＴ−５０４、又はその誘導体又は同族体は、まず担体分子と混合する必要があることがある。本発明の抗体及び／又は組換えのＡＧＴ−１１９、ＡＧＴ−１２０、ＡＧＴ−１２１、ＡＧＴ−１２２、ＡＧＴ−４２２、ＡＧＴ−１２３及びＡＧＴ−５０４、又はそれらの誘導体は、治療用物質又は診断用物質として特に有用である。分子に「対する」抗体には、該分子に特異的な抗体が含まれる。
【０１５０】
ＡＧＴ−１１９、ＡＧＴ−１２０、ＡＧＴ−１２１、ＡＧＴ−１２２、ＡＧＴ−４２２、ＡＧＴ−１２３及びＡＧＴ−５０４及びそれらの誘導体は、ある種の自己免疫疾患で生ずることがあるＡＧＴ−１１９、ＡＧＴ−１２０、ＡＧＴ−１２１、ＡＧＴ−１２２、ＡＧＴ−４２２、ＡＧＴ−１２３及びＡＧＴ−５０４に対して天然に存在する抗体をスクリーニングするのに用いることができる。または、特異的な抗体を用いて、ＡＧＴ−１１９、ＡＧＴ−１２０、ＡＧＴ−１２１、ＡＧＴ−１２２、ＡＧＴ−４２２、ＡＧＴ−１２３及びＡＧＴ−５０４をスクリーニングすることもできる。このような検定技術は当分野で良く知られており、例えば、サンドイッチ検定及びＥＬＩＳＡが含まれる。
【０１５１】
本発明のＡＧＴ−１１９、ＡＧＴ−１２０、ＡＧＴ−１２１、ＡＧＴ−１２２、ＡＧＴ−４２２、ＡＧＴ−１２３及びＡＧＴ−５０４に対する抗体は、モノクローナルであってもポリクローナルであっても良く、ＡＧＴ−１１９、ＡＧＴ−１２０、ＡＧＴ−１２１、ＡＧＴ−１２２、ＡＧＴ−４２２、ＡＧＴ−１２３及びＡＧＴ−５０４に対して天然に存在する抗体から選択しても良く、またはＡＧＴ−１１９、ＡＧＴ−１２０及びＡＧＴ−１２１又はその誘導体に対して特異的に形成させても良い。後者の場合、ＡＧＴ−１１９、ＡＧＴ−１２０、ＡＧＴ−１２１、ＡＧＴ−１２２、ＡＧＴ−４２２、ＡＧＴ−１２３及びＡＧＴ−５０４のタンパク質は、まず担体分子と結びつける必要があるかもしれない。代わりに、Ｆａｂ断片などの抗体の断片を用いても良い。さらに、本発明は組換え抗体及び合成抗体にも及び、抗体ハイブリッドにも及ぶ。「合成抗体」は、本明細書では抗体の断片及びハイブリッドを含むものと考える。本発明のこの側面の抗体は、免疫療法に特に有用であり、診断道具として又はＡＧＴ−１１９、ＡＧＴ−１２０、ＡＧＴ−１２１、ＡＧＴ−１２２、ＡＧＴ−４２２、ＡＧＴ−１２３及びＡＧＴ−５０４の精製手段として用いても良い。
【０１５２】
例えば、特異的な抗体を用いて、ＡＧＴ−１１９、ＡＧＴ−１２０、ＡＧＴ−１２１、ＡＧＴ−１２２、ＡＧＴ−４２２、ＡＧＴ−１２３及びＡＧＴ−５０４のタンパク質をスクリーニングすることができる。後者は、例えば細胞抽出物若しくは他の生体液中のＡＧＴ−１１９、ＡＧＴ−１２０、ＡＧＴ−１２１、ＡＧＴ−１２２、ＡＧＴ−４２２、ＡＧＴ−１２３及びＡＧＴ−５０４のレベルをスクリーニングする手段として、又は培養上清液から組換え手段で生産したＡＧＴ−１１９、ＡＧＴ−１２０、ＡＧＴ−１２１、ＡＧＴ−１２２、ＡＧＴ−４２２、ＡＧＴ−１２３及びＡＧＴ−５０４を精製する手段として、重要であろう。本明細書で意図するこれらの検定技術は当分野で知られており、例えば、サンドイッチ検定やＥＬＩＳＡが含まれる。
【０１５３】
上で議論した最初に述べた抗体に対する任意の第二抗体（モノクローナル、ポリクローナル、又は抗体の断片）を含めることは、本発明の範囲内である。第一抗体と第二抗体の両方を検出検定に用いても良く、または第一抗体を市販されている抗免疫グロブリン抗体と共に用いても良い。本明細書で意図する抗体には、ＡＧＴ−１１９、ＡＧＴ−１２０、ＡＧＴ−１２１、ＡＧＴ−１２２、ＡＧＴ−４２２、ＡＧＴ−１２３及びＡＧＴ−５０４の任意の領域に特異的な任意の抗体が含まれる。
【０１５４】
ポリクローナル抗体及びモノクローナル抗体の両者は、酵素又はタンパク質で免疫化することによって得ることができ、いずれのタイプも免疫検定で利用できる。両方のタイプの血清を得る方法は当分野で良く知られている。ポリクローナル血清はあまり好ましくないが、適切な実験動物に有効量のＡＧＴ−１１９、ＡＧＴ−１２０、ＡＧＴ−１２１、ＡＧＴ−１２２、ＡＧＴ−４２２、ＡＧＴ−１２３及びＡＧＴ−５０４又はその抗原部分を注射し、この動物から血清を採取し、特異的な血清を既知の免疫吸着技術のいずれかで単離することにより、比較的容易に調製される。この方法で調製した抗体は、事実上はどの型の免疫検定でも利用できるが、これらは一般的に、産物の不均一性の可能性があるためにあまり好まれない。
【０１５５】
免疫検定におけるモノクローナル抗体の使用は、モノクローナル抗体が大量に生産できることとその産物の均一性のため、とりわけ好ましい。不死細胞株と免疫原性のある調製品に対して感作されたリンパ球とを融合させて誘導したモノクローナル抗体生産用のハイブリドーマ細胞株を調製することは、当業者らに良く知られる技術により実施できる（例えば、ドゥイラードとホフマン、「ハイブリドーマに関する基礎事実」，Compendium of Immunology Vol. II, シュバルツ編，1981；コーラーとミルシュタイン、Nature 256: 495-499, 1975 ；コーラーとミルシュタイン、European Journal of Immunology 6: 511-519, 1976 を参照）。
【０１５６】
本発明の別の一側面は、被検体由来の生体試料内のＡＧＴ−１１９、ＡＧＴ−１２０、ＡＧＴ−１２１、ＡＧＴ−１２２、ＡＧＴ−４２２、ＡＧＴ−１２３及びＡＧＴ−５０４、又はその誘導体若しくは同族体を検出する方法であって、複合体を形成するのに十分な時間及び条件の下で、該生体試料をＡＧＴ−１１９、ＡＧＴ−１２０、ＡＧＴ−１２１、ＡＧＴ−１２２、ＡＧＴ−４２２、ＡＧＴ−１２３及びＡＧＴ−５０４又はそれらの抗原性誘導体若しくは同族体に特異的な抗体と接触させる工程、及び次いで該複合体を検出する工程を含む方法を意図する。
【０１５７】
この複合体の存在は、ＡＧＴ−１１９、ＡＧＴ−１２０、ＡＧＴ−１２１、ＡＧＴ−１２２、ＡＧＴ−４２２、ＡＧＴ−１２３及びＡＧＴ−５０４の存在を示す。この検定は、肥満症又は他の状態を発症させる傾向を測定するため、又は治療計画を監視するために、定量化、又は半定量化しても良い。
【０１５８】
ＡＧＴ−１１９、ＡＧＴ−１２０、ＡＧＴ−１２１、ＡＧＴ−１２２、ＡＧＴ−４２２、ＡＧＴ−１２３及びＡＧＴ−５０４の存在は、ウェスタンブロット法やＥＬＩＳＡの手法などによるいくつかの方法で検出しても良い。米国特許第４，０１６，０４３号、第４，４２４，２７９号及び第４，０１８，６５３号を参照すれば分かるように、広範囲の免疫検定技術が利用できる。これらには、当然、非競合タイプの単一部位検定及び二部位検定の両方、又は「サンドイッチ」検定、並びに従来の競合的結合検定が含まれる。これらの検定はまた、標識された抗体の標的への直接結合をも含む。
【０１５９】
サンドイッチ検定は、中でも最も有用な、最も普通に用いられる検定法である。サンドイッチ検定技術のいくつかの変法が存在し、その全てが本発明で包含されることを意図する。簡潔に言えば、典型的な前向き検定では、非標識抗体は固体の基質に固定され、テスト対象の試料が結合分子と接触させられる。適切なインキュベーション期間、即ち、抗体−ＡＧＴ−１１９、ＡＧＴ−１２０、ＡＧＴ−１２１、ＡＧＴ−１２２、ＡＧＴ−４２２、ＡＧＴ−１２３及びＡＧＴ−５０４の複合体が形成できるのに十分な時間インキュベートした後、検出可能なシグナルを形成できるレポーター分子で標識したＡＧＴ−１１９、ＡＧＴ−１２０、ＡＧＴ−１２１、ＡＧＴ−１２２、ＡＧＴ−４２２、ＡＧＴ−１２３及びＡＧＴ−５０４に特異的な第二抗体を次に加えて、抗体−ＡＧＴ−１１９、ＡＧＴ−１２０、ＡＧＴ−１２１、ＡＧＴ−１２２、ＡＧＴ−４２２、ＡＧＴ−１２３及びＡＧＴ−５０４−標識化抗体というもう一つの複合体を形成するのに十分な時間インキュベートした。未反応の物質を全て洗い流し、ＡＧＴ−１１９、ＡＧＴ−１２０、ＡＧＴ−１２１、ＡＧＴ−１２２、ＡＧＴ−４２２、ＡＧＴ−１２３及びＡＧＴ−５０４の存在をレポーター分子が形成するシグナルを観察して測定する。その結果は、可視シグナルの単純な観察による定性的なものであるか、又は既知量のハプテンを含む対照試料と比較することによる定量的なもののいずれであっても良い。前向き検定の変法には、試料と標識した抗体の両方が同時に結合抗体に加えられる同時検定が含まれる。これらの技術は、容易に理解できるであろう任意の僅かな変法も含め、当業者らに良く知られている。本発明に基づき、試料は細胞抽出物、組織生検、また恐らくは血清、唾液、粘膜分泌物、リンパ液、組織流体及び呼吸流体を含む、ＡＧＴ−１１９、ＡＧＴ−１２０、ＡＧＴ−１２１、ＡＧＴ−１２２、ＡＧＴ−４２２、ＡＧＴ−１２３及びＡＧＴ−５０４を含むと思われるものである。従ってこの試料は、一般的には生体液を含む生体試料であるが、発酵液及び細胞培養液などからの上清液にも及ぶ。
【０１６０】
固体表面は、通常はガラスまたは重合体であり、最も一般的に用いられる重合体は、セルロース、ポリアクリルアミド、ナイロン、ポリスチレン、塩化ポリビニル、又はポリプロピレンである。固体支持体は管、ビーズ、円盤又はマイクロプレート、又は免疫検定の実施に適した他のどんな表面であっても良い。結合工程は当分野では良く知られており、一般的には重合体−抗体複合体の固体表面への架橋、共有結合又は物理吸着から成り、次いでテスト試料の調製品中で洗浄する。テスト対象の試料の一部を次いで固相複合体に添加し、抗体中に存在する任意のサブユニットの結合を可能にするのに十分な時間（例えば、２〜４０分又はより都合がよければ一晩）及び適切な条件（例えば、室温から約３７℃まで）の下でインキュベートする。インキュベーション時間に続き、抗体サブユニット固相を洗浄し、乾燥し、ＡＧＴ−１１９、ＡＧＴ−１２０、ＡＧＴ−１２１、ＡＧＴ−１２２、ＡＧＴ−４２２、ＡＧＴ−１２３及びＡＧＴ−５０４の部分に特異的な第二抗体とインキュベートする。この第二抗体は、第二抗体のＡＧＴ−１１９、ＡＧＴ−１２０、ＡＧＴ−１２１、ＡＧＴ−１２２、ＡＧＴ−４２２、ＡＧＴ−１２３及びＡＧＴ−５０４への結合を示すのに用いられるレポーター分子に連結する。
【０１６１】
また別の方法は、生体試料中の標的分子を固定化し、次いで固定した標的をレポーター分子で標識した又は標識していない特異的な抗体に曝す工程を含む。標的の量とレポーター分子シグナルの強さに応じて、結合した標的が抗体との直接標識化により検出されることがある。また、第一抗体に特異的な標識した第二抗体は、標的−第一抗体複合体に曝され、標的−第一抗体−第二抗体の第三次複合体を形成する。この複合体は、レポーター分子が発するシグナルにより検出される。
【０１６２】
本明細書で用いる「レポーター分子」は、その化学的性質により、抗原結合抗体を検出できる分析的に同定可能なシグナルを生ずる分子を意味する。検出は定性的であるか又は定量的であるかのいずれかである。この種の検定で最も一般的に用いられるレポーター分子は、酵素、発蛍光団、又は放射性核種を含む分子（即ち、放射性同位元素）、及び化学発光分子である。
【０１６３】
酵素免疫検定の場合、酵素は一般的にはグルタルアルデヒド又は過ヨウ素酸塩により、第二抗体に結合させる。しかしながら、容易に分かるように、様々な別の結合技術が存在し、当業者らには容易に利用可能である。普通に用いられる酵素には、とりわけ西洋わさびペルオキシダーゼ、グルコースオキシダーゼ、β−ガラクトシダーゼ、及びアルカリホスファターゼが含まれる。特異的な酵素と共に用いられる基質は、一般的には対応する酵素による加水分解時に、検出可能な色の変化を生ずることで選択される。適切な酵素の例には、アルカリホスファターゼ及びペルオキシダーゼが含まれる。上述の色素生産性基質ではなく、蛍光産物を生ずる蛍光発生基質を採用することも可能である。全ての場合、酵素で標識した抗体を第一抗体−ハプテン複合体に添加し、結合させ、次いで過剰な試薬を洗い流す。次いで適切な基質を含む溶液を抗体−抗原−抗体の複合体に添加する。この基質は、第二抗体と連結した酵素と反応し、定性的な可視性シグナルを生じ、これは通常は分光高度計によりさらに定量化して、試料中に存在したハプテンの量を特定できる。「レポーター分子」はまた、ラテックスビーズ上の赤血球などの細胞凝集又は凝集の阻害の使用にも及ぶ。
【０１６４】
代わりに、フルオレセイン及びローダミンなどの蛍光化合物を、それらの結合能力を変えることなく抗体に化学結合させても良い。ある特定の波長をもつ光で照射することにより活性化した場合、蛍光色素で標識された抗体は光エネルギーを吸収し、分子に励起状態を誘起し、続いて光学顕微鏡で可視的に検出できる特徴的な色の光を発する。ＥＩＡの場合のように、蛍光で標識された抗体を第一抗体−ハプテン複合体に結合させる。未結合の試薬を洗い流した後、残りの三次複合体を次に適切な波長の光に曝す。蛍光が観察されれば目的のハプテンが存在する。免疫蛍光技術及びＥＩＡ技術は共に、当分野で十分確立されており、本発明の方法にとって特に好ましい。しかしながら、放射性同位元素、化学発光分子又は生物発光分子などの他のレポーター分子を採用しても良い。
【０１６５】
本発明はまた、例えば、ＡＧＴ−１１９、ＡＧＴ−１２０、ＡＧＴ−１２１、ＡＧＴ−１２２、ＡＧＴ−４２２、ＡＧＴ−１２３及びＡＧＴ−５０４又はそれらの誘導体を検出するためのＰＣＲ分析などを含む遺伝子検定をも意図する。
【０１６６】
実時間ＰＣＲも、特定の遺伝子分子を検定するのに特に有用である。
【０１６７】
本発明は、以下の限定的でない実施例でさらに記載する。
【実施例１】
【０１６８】
プサモミス・オビーサス
以下の実施例では、異なる条件下における差異的発現の研究にプサモミス・オビーサス・ラットを用いた。ラットは次の代謝表現型に基づき、３つのグループに分けた。
グループＡ動物：    痩せている
グループＢ動物：    肥満、非糖尿病
グループＣ動物：    肥満、糖尿病。
【実施例２】
【０１６９】
プサモミス・オビーサスのＡＧＴ−１１９の部分配列
ＡＧＴ−１１９は、給餌した、絶食させた、及び再給餌したプサモミス・オビーサス由来の胃ｃＤＮＡのディファレンシャルディスプレイＰＣＲを用いて同定した。
【０１７０】
部分ヌクレオチド配列は、次のとおりである。
AATGAAAGAATTGATTGATACGCAACCAAATTAGCCAGTGAGGTTAGNNNCNGGATTATCG
TGACCAGATAGGAGCCTTGGAAAATGACTAAGAAAAATGAAAAACAGCCTAAAATGTCATT
AGCCCAACAAGATGCGTTAAAACGCCTGGATCAAGTTAGAANGCAGAAAAGCGAAAGCC
［配列番号：１］
【実施例３】
【０１７１】
ＡＧＴ−１１９遺伝子の発現
ＡＧＴ−１１９の実時間ＰＣＲ分析では、給餌した動物と比べた場合、絶食させた及び再給餌した動物における発現レベルが劇的に低いことが分かった（図１）。殆どの絶食させた及び再給餌した動物ではＡＧＴ−１１９のレベルは検出できなかった。絶食は１６時間で、給餌した動物は実験飼料を自由に摂ることができ、再給餌の動物は、１６時間絶食した後に１時間実験飼料を自由に摂らせた。これらの結果は、目的の遺伝子を標的とする２組のプライマーで確認した。
【実施例４】
【０１７２】
ＡＧＴ−１１９配列の相同性
ＡＧＴ−１１９配列は、公開データベース（ＢＬＡＳＴＮ  バージョン２．２．１）のどれとも有意な相同性を示さない。
【実施例５】
【０１７３】
プサモミス・オビーサスのＡＧＴ−１２０の部分配列
ＡＧＴ−１２０は、給餌した、絶食の、及び再給餌したプサモミス・オビーサス由来の胃ｃＤＮＡのディファレンシャルディスプレイＰＣＲを用いて同定した。
【０１７４】
部分的なヌクレオチド配列は次のとおりである。
GCTGATGGCGATGAATGAACACTGCGTTTGCTGGCCTTATCAATTCCCGCTTTTTCTTGGA
TGAAAAAGACTAACCATGATCGGGCCCAACGGCGGAAGTCGCTTTTGTCACCAGTAGTGAT
GGTGCCGGGATCAAGTGCCACGATTGAGCGTTTCAATTCACTGATTGCGATGCTTAATAAA
GATTCGCCGCACCCTCACAGTGTGTTAAAGATTAAAGTCATGAAAGATGGCAGTTTAAA
ATACAAGGGCAGCATTAATCGCGGTGATAATGAACCCTTTATTGTGATTGGTTTTGAAA
ATAATAAAGATGGCTATAGTAATATTAAGAAGCAAGCAAGCTGGCTAGATATTGCCTTTTA
TGAGATCTCGCNAACTTATAAATTTAACAACTTTAAGGCCTTTGGCCATTCAAATGGAG
GGCTGGTGTGGACATATTGGTTAGAGCATTATTATTCAGAGTATGAGTCAGAAATCA
AAATCAAGCGGTTGATGACTTTGGCTTCACCATTTAACTTTGACGAAGACAATCTGAAT
CACCGGACCCAGATGCTGGCTGACTTTATTAAATATCGGAAACGACTTCCAAAAACGCTC
AAAGTTTATTCACTGACTGGTGGCCAGACCTATGAATCTGACGGGATTGTTCCTGAAAA
TAGTGTAGCCGCAGCCAAGTATATTTTCCAAAATCAAGTGAAGAGCTTTATGGAAAT
TACGGTTACGGGTAAGCAGCTAATCACTCAGATTTACCGCAAAATGAACAAGTAGTGCTA
GTGATGAATCCACCACTCACTAAAGATAATAAAAAAAAAAA ［配列番号：２］
【実施例６】
【０１７５】
ＡＧＴ−１２０遺伝子の発現
ＡＧＴ−１２０の発現は、絶食の動物（ｎ＝１２）及び再給餌した動物（ｎ＝８）に比べて、給餌したグループ（ｎ＝８）で有意に高かった。給餌した動物と再給餌した動物の間には差異はなかった（図２）。ＡＧＴ−１２０の発現及び胃の重量、胃の内容物、ブドウ糖レベル又はインスリンレベルの間には有意な相互関係はなかった。
【実施例７】
【０１７６】
ＡＧＴ−１２０遺伝子の相同性
ＡＧＴ−１２０の配列は、ラクトバチラス・ガゼリの仮想タンパク質（hypothetical protein）（ＮＺ＿ＡＡＡＢ０１００００１１）との相同性を示す。ヒトの同族体は、まだ同定されていない。
【実施例８】
【０１７７】
プサモミス・オビーサスのＡＧＴ−１２１の配列
ＡＧＴ−１２１は糖尿病の及び非糖尿病のプサモミス・オビーサスに由来する視床下部ｃＤＮＡのディファレンシャルディスプレイＰＣＲを用いて同定した。
【０１７８】
ＡＧＴ−１２１は、ディファレンシャルディスプレイで最初に同定された視床下部遺伝子である。給餌した／絶食させた視床下部における主要な遺伝子発現データから、グループＢとグループＣの動物におけるその発現の増加が大きいため、並びに、これらの動物間でシグナルの相違が大きいため、関心が持たれた。
【０１７９】
そのヌクレオチド配列は次のとおりである。
CAGACTCCTTGGAAATTAAGGAATGCAATTCTGCCACCATGATGGAAGGACTGAAAAAACGT
ACAAGGAAGGCCTTTGGAATACGGAAGAAAGAAAAAGACACTGACTCTACAGGCTCACCAGA
TCGAGATGGAATGCAGCCCAGCCCACACGAGCTCCCCTACCATAGCAAAGCAGAGTGTGCCC
GAGAAGGAGGGAACAAAGCTTCGAAGAAAAGCAATGGGGCACCAAATGGATTTTATGCGGAA
ATTGATTGGGAAAGATATAACTCACCTGAGCTGGATGAAGAAGGTTACAGCATCAGACCTGA
GGAACCAGGCTCTACCAAAGGAAAGCACTTTTATTCTTCAAGTGAATCCGAAGAGGAGGAAG
AATCGCACAAGAAGTTCAATATCAAGATTAAACCCTTGCAGTCCAAGGACATCCTTAAGAAT
GCTGCAACAGTAGACGAGCTGAAGGCTTCCATAGGCAACATTGCACTTTCCCCTTCGCCTGT
GAGGAAAAGTCCGAGGCGCAGCCCGGGTGCAATTAAAAGGAACTTATCCAGTGAAGAAGTCG
CAAGACCCAGGCGTTCCACCCCAACTCCAGAACTTACAAGCAAGAAGCCTCTGGACGACACT
CTGGCCCTTGCTCCCCTCTTTGGCCCACCGTTAGAATCTGCTTTTGATGGACACAAGACGGA
AGTTCTTTTAGATCAGCCTGAGATATGGGGTTCAGGCCAACCAGTTAACCCAAGCATGGAGT
CACCAAAGCTAGCAAGACCTTTTCCCACTGGAACCCCTCCACCTCTGCCTCCAAAAACTGTA
CCAGCCACCCCGCCTCGGACAGGCTCCCCCTTAACAGTGGCGACAGGAAATGACCAGGCAGC
CACAGAGGCCAAAATTGAGAAACTACCATCCATCAGTGACCTGGACAGCATTTTTGGCCCCG
TGTTGTCCCCCAAGTCTGTTGCTGTTAATACTGAGGAGACGTGGGTCCATTTCTCTGATGCA
TCCCCGGAACATGTTACTCCAGAGTTGACTCCAAGGGAAAAGGTGGTGACCCCACCAGCTGC
ATCAGACATCCCAGCTGACTCCCCAACTCCAGGCCCGCCTGGCCCCCCAGGCTCGGCAGGTC
CCCCAGGGCCTCCTGGTCCTCGCAATGTACCATCTCCGCTCAATTTAGAAGAAGTCCAGAAG
AAAGTCGCTGAGCAGACCTTCATTAAAGATGATTACTTAGAAACACTCTCATCTCCTAAAGA
GTGTGGGTTGGGACAGAGAGCAACTCCACCTCCCCCACCACCACCCACCTACAGGACTGTGG
TTTCGTCCCCCGGACCTGGCTCGGGCAGTGGTACGGGGACCGCCAGTGGTGCATCGTCCCCT
GCTCGGCCAGCCACCCCCTTAGTTCCTTGCAGCTGCTCCACTCCGCCTCCACCTCCTCCCCG
GCCTCCATCCCGGCCAAAGCTACCTCCAGGAAAGCCTGGAGTTGGAGACGTGTCCAGACCTT
TTAGCCCACCCATACACTCCTCCAGCCCTCCTCCAATAGCACCCTTAGCCCGGGCTGAAAGC
ACTTCTTCAATATCATCAACCAATTCCCTGAGCGCAGCCACCACTCCCACAGTTGAGAATGA
ACAGSCTTCCCTCGTTTGGTTTGACAGAGGAAAGTTTTATTTGACTTTTGAAGGTTCTTCCA
GGGGACCCAGTCCTCTAACTATGGGGGCCCAGGACACCCTCCCGGTTGCAGCAGCATTCACA
GAAACTGTCAATGCCTACTTCAAAGGAGCAGATCCAAGCAAATGCATTGTTAAGATCACGGG
AGAAATGGTGTTGTCCTTTCCTGCTGGCATCACCAGACACTTTGCCAACAACCCATCCCCAG
CTGCTCTGACTTTTCGAGTGATAAATTCCAGCAGGTTAGAGCACGTCCTGCCGAACCCCCAG
CTCCTCTGCTGCGATAACACACAAAATGATGCCAATACCAAGGAATTCTGGGTAAACATGCC
AAATTTGATGACCCACCTGAAGAAGGTCTCTGAACAAAAACCCCAGGCTACATATTACAATG
TGGACATGCTCAAGTATCAGGTGTCAGCCCAGGGCATTCAGTCCACACCTCTGAACTTGGCG
GTGAACTGGCGCTGTGAGCCTTCCAGCACTGACCTGCGCATAGATTATAAGTACAACACGGA
TGCCATGTCCACCGCAGTGGCCCTTAACAACGTGCAGTTCCTGGTCCCCATTGATGGAGGAG
TGACCAAGCTCCAGGCTGTCCTTCCTCCAGCAGTCTGGAATGCTGAACAACAAAGAATATTA
TGGAAGATTCCTGATATCTCCCAGAAGTCAGAAAATGGAGGCGTAGGTTCTTTACTGGCAAG
ATTTCAATTAGCCGAAGGCCCAAGCAAACCTTCCCCACTGGTCGTGCAGTTCACGAGTGAAG
GGAGCACTCTGTCTGGCTGCGACATTGAGCTTGTCGGAGCAGGGTACGGGTTTTCACTCATC
AAGAAGAGGTTTGCTGCAGGAAAATACTTGGCCGATAACTAATAAAATGTCATGCAAGGATT
TTGAAGATCCATGTCCTGGAGAACTGTTGTCTGAGAGACATATTTTAATCTGGTTTGAGGAA
AACAAACCAACCGATGTCTGTACGTGGGCTCTGTCAGCTGGAAGGTCCCGGCTTTCAGCCGT
GATTTCCCACACCCAGTACAAGGAGGATCAGTTCTACAGTACTTACTTCTAGGTGTACTATT
GTTAATGGTTTTAAAATGTAATTATTGTATTTGTAAACTGTACCTTCATTCCAGTAAGGCAG
TTAGACACCTGAGTTTTAGCTTTTTTTTCCATTCCTGAAACGGATGTAATTTAAACTGCGGT
ATGTAAATTTAATAGTAGTACTGTCGAATGGCACAATGCTTACAGAGATACAGTGCATTTTG
TCAATATATAAAATTTAAATATAATGTTGATAGTTACCATAAAGGGGGTGCCACACATCAAG
AACCTTAAATGGAACCAGAAACAAGCAAGCAAACAAACAAACAAACAAACAAAACCTTACTT
TTCTTCACTCCTTATTACATTTTCCTCTAGAGCTAAAGAAACTTCTAGCTTCGGTTTAGTGG
GTTAAATTCAGAAACTATTTCAGAAAAAAAAAAAAATTCTGAAGTTACAGCATATTCAAAGA
GAAGCATTAATTACCACTTTTTTAAAAGCTTTTTTTTCAAACCGCAAATTTCATAAAAATGC
AAACTGTGTAAACAGGGCCTCTTATTTTTATAACTTGTGTAAAAAGGGAAAATCAATTCATA
TTTAAAGTTTAAGTAGTATTAAATTATATCCAAGAGTGAAGAGGATGTTGAAATCTTACCTG
ACCCCATGCCCCTTCTTTGCAGTTTAGCAAATGTTGAGATTGCTAAATCATCAGATTAAAGC
CAACTTGATTTTTAAAGTTTCAAGACTTTCTGAAGCTGAACTGGTTAAAACTTTTGCACAAT
TGCTTGGAACGGAGGGGGAGGGGCCTCTCTGGTCCAGCACAGGTACCTTGTTTCTTCCCTAC
TCACAAGAATCAAAACAATGAAAGTCAAGAACCACAGAGGGGGGAAATTAGTTCCCTGTTCA
GTCCAAAAGGAGAACTTTAAACTTATCATTTACGTCTTTGGGGAAGGAAGAAATAAGCTTTA
TAAGTGAAATCCTATTCACCTTGTTGTCCTATGAATGTTTTCGGGGTGACTTTAAGATTCAT
TGTATACATGTGCGAGTCTCTGCTATTCTTGGGGAGTTGAAAGCAGAGCCAGGCCAGTGGCC
TTGAAGTTCAGTAAATGCCACAGTTCTGGGGCAAAGGTAGGCATGAGGGTTCTGCCCCTCAG
CACAGGAATCAGAGCAGTGTCTTGTAAGGTCTAAAGATTAAGTCTTCCAGTAAGCCACAAGT
TATTTTGTAACAGAGTTGGGGAGTTTTGGCACTCGCTGCTGACTTTCATTTTGTATCCACTC
AAATGGAGTCTTCAACTCTTTTCAACTTTAGAATCAAATTAATTTTTTTTTTTTTTTTTTTT
TTTTTACACAAGGTTTACTCTGTGTAACTGTCCTGGATGTTCTGGAACTCTTTTTGTAGACC
AGGCTGGCCTCGAACTCAGAGAGATCCACCTGCCTGTGCTCCCCAAGTGCTGGGATTAAAGG
CGTGTGCCACCATGCCTGGCTTAGATTAAATTTTTTAAGTCTTACTTCACCAGTGAGATTGT
GATTGGCAGTTGTTTCGAGAGAGCTTTGTAGCTTAATCTATGTTCTCTTCAATCAATGCTTG
CTACCAAAAGAATGTCCAAAATGATCTATTTTTCCTGGGAACAATTCATCTATTTAAATAGG
CTCTTGCCTAGTTCCCCAAAGCAGCCTGTCTTTGAAGGTTTTTTTGAACAAAATAATTTTTT
CACAAAAAGTTTGGTTTTGAAATCAAAATAGAGAAATAAAATGTAAATTTTAAATCTAATGG
AACATGAGGAAATGAAAAAACTTAAGCCAATGGAGAGTAAAAGCAGAAAAAAATGAAACTTA
CCTAGAATGTGATTATATTATGTTTTTAAGTAGTCAATTCATGGAAAAATATTGAATATTAA
CACAAAGCATATTAAAAATATGTAAATATTACTGTTTCTCATGTCTTTCTCTTTATATCTTA
TTTTATATAGTTTTAGAATGAATTGGTCATTAAATACAGTGTTTCTTTCCAAAGAATAATTT
TGTTGATATTGTAAAAATGTAATTAAAGATAGAGACTTGAATAGTCTCTAACATTATCCAAA
TGTTTCTAGGAACCAAATTCAAAGCTGTGAAGAAAGCTTGCAATCCCTGAATTGGCTTTTGT
GAAATGGAATGACGGTGGGTAATCTCAAAATTCAGACTTGAATAGTCAGAGCTGAAGTGGGG
AATGGGTGGTTCCTTCTGGTTCAGAAAATAGGTCAAATAACAGCATTTGCTCGCATCAGGGA
TGGAGATGTTGGTGATGTTTGGTTTTACTCTCGCAGGCTTTCGTCTCCTGTTGAAGGTGTAT
CTGTAGCCCAGTGGGATAAGAGTTCATGTTCTGAGATGTGGTCCTAGACAAGGCAGGCAAGG
TTTCAGTCATCAATACCTATCAGGTCAGGTTCCCTTTTGTCTATACAAAATGGGTTAGCTCA
TAGCCAGATGGTTTGCAGGACAGTGAGCTAAATTAGGACAAGATTCTGGTTAGCCAAAGAGC
TGTTTCCTAAGCACTCTGATTTTTTTTTAAAGCTGATAGAAAGTGTAAATGTTCTATTTTGA
CGACATGGAAAGTATGTTTTCCTCTTCAAATAAATCCCTTATTTTTATGAAATTTTCAAAAA
TAAATTCTTGTTTAAAATAGTCTGAATGTTATCATAGTTGGAACTTGGCAATTACTAATTTG
AAATTCTATGAGATGTATCTCCAGCTAAAATGGCAATTCCCTGTATGCTATCTGGGGCTCAG
TTTACCTCTAAGGAAGACTGTCAGAGTGCAAATGGTTTTGAGTGACGGGAAAGTCAAAGGGC
AAATGTTTGTGCTTTTTTCTTTTTCTGTCTTATATACTTCTTCTTGGTCTCAGAATGCAAAG
TATCAGAGCCATAGTTACACACATTTCCACTTTTAACGCTTCTTTTGAAGGAAGCAGATCCA
CTTTTGCCCCGCCACTCATGCCTGCTGTGCAGACTCAGACGAGTCCCTGCCCTCTTCACGCC
TTTGGGGTGAGAGGGGAGCCATATGTAAGTAGTTTTCAAGCTTTTCTTAATGGGACTTTTCT
TTTTCTAATAAAATCATGCCTGGAATCCTGTAAAGATTGTTGCCTGGCTGTGAAGGGGCTTC
TCCAGATCCTGAAATATAGCATCACAATACGTAAATGACTCCCGATGGATCTCCCAGCTCTG
AAGACTTGCTCTTCTACTTCACATGTGTAGCCACGACGATCAGCTGGCACACAGTACAATTA
GCTGTGTAGTGAGTGCTCCCCAGCTATCAGTCATGAAACATATCACTTTGCTCAACCTGTTT
TTAAAAAAGCTCCAAAATGGTAAAAATGCTTTTCAGTCTTTGTTTTCCCAATAATGGTATTG
AGGCCTAAGCTGATTAACTTCCCCCAAAGTGGTACCACAGCTGGTAACGACCCCAATGATCC
TGAAAAAAATGGAATGAGTACCTTGCTGTTTCRTTTAGTTYATTTTGGGAAAATAATCCATT
TGAATGTCAAGATAAAAAGGCACCAGGAAAAGTCCTCATTGGAAGGATTAAAGATGAGCCTG
GTAAGATGTTAAGATGTAAGATGTTAAGATGTGTTACTGTAAAAAAAAAAAGCTT
［配列番号：３］
【０１８０】
対応するアミノ酸配列は、次のとおりである。
MMEGLKKRTRKAFGIRKKEKDTDSTGSPDRDGMQPSPHELPYHSKAECAREGGNKASKKSNG
APNGFYAEIDWERYNSPELDEEGYSIRPEEPGSTKGKHFYSSSESEEEEESHKKFNIKIKPL
QSKDILKNAATVDELKASIGNIALSPSPVRKSPRRSPGAIKRNLSSEEVARPRRSTPTPELT
SKKPLDDTLALAPLFGPPLESAFDGHKTEVLLDQPEIWGSGQPVNPSMESPKLARPFPTGTP
PPLPPKTVPATPPRTGSPLTVATGNDQAATEAKIEKLPSISDLDSIFGPVLSPKSVAVNTEE
TWVHFSDASPEHVTPELTPREKVVTPPAASDIPADSPTPGPPGPPGSAGPPGPPGPRNVPSP
LNLEEVQKKVAEQTFIKDDYLETLSSPKECGLGQRATPPPPPPPTYRTVVSSPGPGSGSGTG
TASGASSPARPATPLVPCSCSTPPPPPPRPPSRPKLPPGKPGVGDVSRPFSPPIHSSSPPPI
APLARAESTSSISSTNSLSAATTPTVENEQASLVWFDRGKFYLTFEGSSRGPSPLTMGAQDT
LPVAAAFTETVNAYFKGADPSKCIVKITGEMVLSFPAGITRHFANNPSPAALTFRVINSSRL
EHVLPNPQLLCCDNTQNDANTKEFWVNMPNLMTHLKKVSEQKPQATYYNVDMLKYQVSAQGI
QSTPLNLAVNWRCEPSSTDLRIDYKYNTDAMSTAVALNNVQFLVPIDGGVTKLQAVLPPAVW
NAEQQRILWKIPDISQKSENGGVGSLLARFQLAEGPSKPSPLVVQFTSEGSTLSGCDIELVG
AGYGFSLIKKRFAAGKYLADN ［配列番号：４］
【実施例９】
【０１８１】
ＡＧ−１２１のタックマン組織分布
ＡＧＴ−１２１の組織分布は、プサモミス・オビーサスの複数の組織におけるタックマンＰＣＲにより調査した（図３）。脳で最高レベルを示し、また膵臓では極めて低いレベルを示した。
【実施例１０】
【０１８２】
ＡＧＴ−１２１−クローンテックＭＴＮヒトＲＮＡブロット
ヒトの組織におけるＡＧＴ−１２１の組織分布も、クローンテック多組織ＲＮＡブロットのノーザン分析により実施した。約６ｋｂの特殊なバンドが脳で見られた（図４）。ＡＧＴ−１２１は脳に特異的であると思われる。
【実施例１１】
【０１８３】
ＡＧＴ−１２１対立遺伝子は肥満と関連する
元となる特許に記載された挿入対立遺伝子及び欠失対立遺伝子は、肥満に関連する。８０匹の痩せた及び肥満の個々のプサモミス・オビーサスを、欠失又は挿入、又はその両方の存在に基づき遺伝子型を決定した。糖尿病の動物は考慮に入れなかった。遺伝子型は、プサモミス・オビーサスで見られる肥満症の表現型に有意に関連する。その結果を表４と表５に示す。
【０１８４】
【表４】
2005510214.tif 000010
【０１８５】
【表５】
2005510214.tif 000011
【実施例１２】
【０１８６】
エネルギー制限した視床下部におけるＡＧＴ−１２１遺伝子の発現
オリゴヌクレオチドプライマーは、プサモミス・オビーサスのＡＧＴ−１２１のコード配列内で設計した。エネルギー制限した視床下部におけるＡＧＴ−１２１の発現を分析した。対照動物における体重、全ての動物におけるブドウ糖の変化、及び全ての動物における肩甲下脂肪量で、正の相関関係が見られた（図５〜８）。
【実施例１３】
【０１８７】
ＡＧＴ−１２１配列の相同性
ＡＧＴ−１２１：ＩＳＲタンパク質は、ヒト仮想タンパク質ＤＫＦＺｐ７６１Ｄ２２１（ＤＫＦＺｐ７６１Ｄ２２１）［寄託番号：ＮＰ＿１１５６６７］と、ヌクレオチドレベル及びタンパク質レベルの両方で強い相同性を示す。このタンパク質は、アダプター複合体の中間サブユニットファミリーとして同定されるｐｆａｍ００９２８．５、Ａｄａｐ＿ｃｏｍｐ＿ｓｕｂドメインを含むと予測される。このファミリーはコカトマー（cocatomer）サブユニットであるメンバーも含む。この遺伝子は、ヒト染色体ｌｐ３１．２に位置づけられている。
【実施例１４】
【０１８８】
プサモミス・オビーサスのＡＧＴ−１２２の部分配列
ＡＧＴ−１２２は糖尿病のプサモミス・オビーサス及び非糖尿病のプサモミス・オビーサスの肝臓ｃＤＮＡのディファレンシャルディスプレイＰＣＲを用いて同定した。
【０１８９】
部分的なヌクレオチド配列は次のとおりである。
TCGCGGATCCAGACGCTGCGTTTGCTGGCTTTGATGAAATTTTTAATTTTTCAATATCAGG
AATGTTTAACTATGCCATGAATTTATGGTAGTCAAGGTTGGAAGGCAGGGGAGAGGACACA
GGGAGTAAAGGCACTTGCCCCCAAGCCTTACAACCTGAATTCCATCCCAGAGTGCCTAATG
GTTGAAGGACGGAACTGAATATCTCTAGCTGTCCTCTATCCTCCACAGATACACAGTGAAT
GCATCAACGTAAAAAATTACAGCTAGAAATAATGTCGTGCCATTCATTGTATTTTACATTN
GTNCATCTTNGNTTTTCCATANTAAAAATGTCTNAGACATACCACTTAAAAAAAAAAGCTT
［配列番号：５］
【実施例１５】
【０１９０】
ＡＧＴ−１２２遺伝子の発現
グループＢ（ｐ＝０．００１）及びグループＣ（ｐ＝０．００５）の動物と比べてグループＡ動物では、給餌した状態でのＡＧＴ−１２２遺伝子の発現に有意な差異があった（図９）。絶食させた状態では、このグループ間で有意な差はなかった。動物グループ内では、有意な発現の増加はグループＢの絶食させた動物（ｐ＝０．００９）でしか見られなかった。全てのグループからのデータを集めると、有意な差異は見られなかった（図１０）。
【０１９１】
集団で絶食させた動物でのＡＧＴ−１２２の発現は、体重、ブドウ糖、又はインスリンとの関連性を示さなかった。給餌した動物におけるＡＧＴ−１２２の発現は、体重（ｐ＝０．００５、図１１）、ブドウ糖（ｐ＝０．００３）及びインスリン（ｐ＝０．０１５）と有意な負の相関を示した。
【実施例１６】
【０１９２】
ＡＧＴ−１２２の配列の相同性
ＡＧＴ−１２２の配列は、異なるマウスの染色体上の幾つかの領域と有意な相同性を示す。公共のデータベース（ＢＬＡＳＴＮバージョン２．２．１）には類似する配列はなかった。
【実施例１７】
【０１９３】
プサモミス・オビーサスのＡＧＴ−４２２の部分配列
ＡＧＴ−４２２は、糖尿病の及び糖尿病でないプサモミス・オビーサス由来の肝臓ｃＤＮＡのサプレッション・サブトラクティブ・ハイブリッド形成（ＳＳＨ）［リプリゼンテーショナル・ディファレンス・アナリシス（ＲＤＡ）とも呼ばれる］により同定した。
【０１９４】
部分的なヌクレオチド配列は次のとおりである。
CCCTATCCGCTACCCCTGGGAGGGACACAAAAACACATTTTGTGTTTTTGAAAAAACTGAG
GTCACCAGACTCTTGTATTGTCTTCTTGGACTTCTCTCAGGAACACTCAGGACTCTCCCCA
CACAACACCGTTCTTGAACCGTTCTAACAAATGTTTAAAGTGGTTTCCTTTGAACCACATT
AAATTTAGTTTAAGCAGTCACCAGTGGGCTAGCAGTTCTGGGTTGGGCAGCACATCTTGTA
CAAGCTCTTCCATCTGCCAGGATCACCACCTCTCTGACTTGCACATTTGTGGGTTCCCCAC
AGACGAATGGGATGAGTGAAAGAGTGAGTATGTTCTGTTGGGCCTTCAGTAACAGAAGACT
GATTCAGAAAGTAGCACACGTCACATTTTTCTGTAGGTTGGTTTGTTTAGTTTCATTTTTG
ATTTGTGGAACAAAA ［配列番号：６］
【実施例１８】
【０１９５】
ＡＧＴ−４２２遺伝子の発現
ＡＧＴ−４２２は正規分布した。ＬＳＤポストホック検定による一元配置ＡＮＯＶＡにより、給餌したグループＣより給餌したグループＡ動物で遺伝子発現が高い傾向がある（ｐ＝０．０６８）ことが見出された。遺伝子発現は、絶食させたグループＡよりも給餌したグループＡ動物で（ｐ＝０．００２）、絶食させたグループＢより給餌したグループＢ動物で（ｐ＝０．０１４）、及び、絶食させたグループＣよりも給餌したグループＣ動物で（ｐ＝０．０３９）有意に高かった［図１２］。独立した試料のＴテストでは、グループのデータを組みあわせると、絶食させた動物よりも給餌した動物でＡＧＴ−４２２遺伝子の発現が高いことが見出された（ｐ＜０．００１、図１３）。
【実施例１９】
【０１９６】
ＡＧＴ−４２２配列の相同性
ＡＧＴ−４２２配列は、ラッタス・ノルベキカスのクローンＣＨ２３０−２１３Ｋ１との配列相同性を示す。完全遺伝子とオープン・リーディング・フレームはまだ同定されておらず、ヒトの同族体もまだ未確定である。
【実施例２０】
【０１９７】
プサモミス・オビーサスのＡＧＴ−１２３の部分配列
ＡＧＴ−１２３は、糖尿病の及び糖尿病でないプサモミス・オビーサス由来の視床下部ｃＤＮＡのディファレンシャルディスプレイＰＣＲを用いて同定した。
【０１９８】
部分的なヌクレオチド配列は次のとおりである。
TGAGAGTCCATCTCAGCTTATTTCATTGAGATGTTTTGATTAAGAAGTATGACTAGATTAA
AAAATTCTATATAGCTTGGCATTGTTGATAGTTTATATATTTCACTGATTTCTGGTCCCTT
GAAAGTTACTTGGTGATCAACATAGTGTAGTGAAAGGATTGGGATGGACATTAAAAAAAAA
AAGCTT  ［配列番号：７］
【実施例２１】
【０１９９】
ＡＧＴ−１２３遺伝子の発現
視床下部ＡＧＴ−１２３の発現は、グループＡ動物では絶食に伴い上昇する傾向があり（ｐ＝０．０６）、グループＢとグループＣの動物では絶食に伴って有意に上昇した（それぞれ、ｐ＝０．０２とｐ＝０．０１）［図１４］。全ての給餌した及び絶食させた動物を合わせると、絶食させた動物は給餌した動物と比べて、有意に発現が上昇した（ｐ＝０．００１）。［図１４］。ＡＧＴ−１２３の発現は、ブドウ糖又はインスリンの濃度と相関しなかった。統計的には有意ではない（ｐ＝０．０８）が、ＡＧＴ−１２３の発現と体重の間には関連する傾向があった。
【実施例２２】
【０２００】
ＡＧＴ−１２３配列の相同性
ＡＧＴ−１２３配列はマウスで発現する三つの配列タグ（gb／BG797393.1／BG797393 icl4h03.x1 Kaestner ngn3 wt Mus筋; gb／AI661150.1／AI661150 va01a02.x1 ソアレス・マウスリンパ節NbMLN; dbj／BB257743.1／BB257743 BB257743 RIKEN 全長濃縮, 7 d)に合致するが、対応する遺伝子はまだ同定されていない（ＢＬＡＳＴＮバージョン２．２．１）。
【実施例２３】
【０２０１】
プサモミス・オビーサスのＡＧＴ−５０４の部分配列
ＡＧＴ−５０４は、糖尿病の及び糖尿病でないプサモミス・オビーサス由来のゲノムＤＮＡの増幅断片長多型（ＡＦＬＰ）スクリーニングを用いて同定した。これは、糖尿病の及び糖尿病でないプサモミス・オビーサスの肝臓で発現することが分かった。
【０２０２】
部分的なヌクレオチド配列は次のとおりである。
ゲノムＤＮＡ：
TGGNTACTCTTGNAAGCACCTTGAAAGTTCAGCCTGCTAACTTACCTTTTTAGCTTTAGAT
TGCTTAGATATTCAAATGAGAGTGTGGTGCAAATCCTGATTACAAGGAGTTTGAGTTTGGA
GTGATTGGCAATGCACTTGTGAGGCTGTGTGCCTATGGTCCTAGGACTTAGGAGGCAGGGA
TAGAAGGACCAGGTGCTGAAAGACAGCCTTGGCTAGTTAGTGGACAGATACATAAATGTAC
TGCATGAGATTCTTTCAGAATAACAACCTCCTTTTAAAGAAGTTACTTCTGACATGGAATC
TGTTGCCTGCTTTTGGATCACTACCCCCTGGTGGGACACCTTTGCCAGACCATGGAGGAAG
AACTGTCTTGAT  ［配列番号：８］
【０２０３】
ｃＤＮＡ：
AACGTGAGCTTTTTGGAAGGCCCAGANAATTTAAGGAAAGTGTCCCGGCAAATCCTGATTA
CAAGGAGTTTGAGTTTGGAGTGATTGGCAATGCACTTGTGAGGCTGTGTGCCTATGGTCCT
AGGACTTAGGAGGCAGGGATAGAAGGACCAGGTGCTGAAAGACAGCCTTGGCTAGTTAGTG
GACAGATACATAAATGTACTGCATGAGATTCTTTCAGAATAACAACCTCCTTTTAAAGAAG
TTACTTCTGACATGGAATCTGTTGCCTGCTTTTGGATCACTACCCCCTGGTGGGACACCTT
TGCCAGACCATGGAGGAAGAACTGTCTTGATGGGANN ［配列番号：９］
【実施例２４】
【０２０４】
ＡＧＴ−５０４遺伝子の発現
肝臓ＡＧＴ−５０４の発現は正規分布し、ＬＳＤポストホック分析によるＡＮＯＶＡは、グループＣ動物がグループＡ（ｐ＝０．０１４）とグループＢ（ｐ＝０．０２）の動物の両方と比べてＡＧＴ−５０４遺伝子の発現が有意に高かったことを示した（図１５）。
【実施例２５】
【０２０５】
増幅断片長多型（ＡＦＬＰ）技術
ＡＦＬＰ技術は、ポリメラーゼ連鎖反応（ＰＣＲ）を用いたゲノム制限断片のサブセットの増幅に基づく。ＤＮＡは制限酵素（ＥＣｏＲＩとＭｓｅＩ）で切断し、二重鎖アダプターはＤＮＡ断片の末端に結合させて増幅用の鋳型ＤＮＡを作成する。アダプター配列と隣接する制限部位配列は次に続く制限断片の増幅のためのプライマー結合部位として役立つ。選択ヌクレオチドは、それゆえに制限断片のサブセットからのみＤＮＡ増幅を開始するＰＣＲプライマーの３’末端に含まれる。この方法により、肥満症／糖尿病の表現型に関連する制限部位における配列の差異が同定されるであろう。
【０２０６】
ＡＦＬＰは、ギブコＢＲＬ「ＡＦＬＰ分析システムＩ」と「ＡＦＬＰスタータープライマー」キットを用いて、製造元の説明書に従って実施した。
【０２０７】
プサモミス・オビーサス（ｎ＝１５）のそれぞれのグループの６つのゲノムＤＮＡを集めたものを、２５６対のプライマーのＡＦＬＰスクリーニングに用いたが、これは約１．４ｃＭの濃度でのゲノムスキャンと同等である。動物は性別で分け、次に痩せている（グループＡ）、肥満である（グループＢ）及び肥満／糖尿病である（グループＣ）に応じて３つのグループに分けた。
【０２０８】
ＰＣＲは以下の条件下で２０μｌで実施した。９４℃で３０秒、６５℃で３０秒、及び７２度で６０秒を１サイクル、次に１２の連続した各サイクルについて、アニーリング温度を０．７℃下げた。これにより、１３サイクルのタッチダウンフェーズが得られる。この後、９４℃で３０秒、５６℃で３０秒、及び７２℃で６０秒のサイクルが２３回続く。  
【０２０９】
一度増幅すると、断片は６％（ｗ／ｖ）のポリアクリルアミドゲル上で分離され、（通常は）５０〜１５０のバンドが可視化された。動物グループ間で異なると思わるこれらのバンドをゲルから切除した。次のＰＣＲ条件、即ち、９４℃で２分、（９４℃で３０秒、５４℃で３０秒、７２℃で６０秒）を４０サイクル、７２℃で５分、及び次のプライマー：F 5'-GTA GAC TGC GTA CCA ATT C-3'［配列番号：１０］と、R 5'-GAC GAT GAG TCC TGA GTA A-3'［配列番号：１１］を用いて目的のバンドを再増幅した。増幅されたバンドは、アプライドバイオシステム・ビッグダイ配列決定キットで配列決定した。
【実施例２６】
【０２１０】
プライマー
各遺伝子の増幅と分析のためのプライマーとプローブの配列（５’から３’の方向で示す）。
ＳＹＢＲグリーン分析
ＡＧＴ−１１９
第１組
前向き：        ggattatcgtgaccagataggagc                ［配列番号：１２］
逆向き：        acgcatcttgttgggctaatg                   ［配列番号：１３］
第二組
前向き：        cgcaaccaaattagccagtg                    ［配列番号：１４］
逆向き：        gcatcttgttgggctaatgacat                 ［配列番号：１５］
ＡＧＴ−１２０
前向き：        acccagatgctggctgact                     ［配列番号：１６］
逆向き：        ctggccaccagtcagtgaataa                  ［配列番号：１７］
ＡＧＴ−１２１
前向き（挿入）：  aaaacatgagagaagccatactaattca            ［配列番号：１８］
前向き（欠失）：  cacaaaacatgagatactaattcataagtga         ［配列番号：１９］
逆向き:           tgaaaccaagatagcacaaacgaa                ［配列番号：２０］
ＡＧＴ−１２２
前向き：          catcccagagtgcctaatggtt                  ［配列番号：２１］
逆向き：          acgttgatgcattcactgtgtatct               ［配列番号：２２］
ＡＧＴ−４２２
前向き：          cagtcaccagtgggctagca                    ［配列番号：２３］
逆向き：          cctggcagatggaagagctt                    ［配列番号：２４］
ＡＧＴ−１２３
前向き：          gcttggcattgttgatagtttatatatttc          ［配列番号：２５］
逆向き：          cactacactatgttgatcaccaagtaactt          ［配列番号：２６］
ＡＧＴ−５０４
前向き：          gaatctgttgcctgcttttgg                   ［配列番号：２７］
逆向き：          ctccatggtctggcaaaggt                    ［配列番号：２８］
タックマン分析
β−アクチン前向き：  gcaaagacctgtatgccaacac              ［配列番号：２９］
β−アクチン逆向き：  gccagagcagtgatctctttctg             ［配列番号：３０］
プローブ：            FAM-tccggtccacaatgcctgggaacat-TAMRA ［配列番号：３１］
シクロフィリン前向き：  cccaccgtgttcttcgaca               ［配列番号：３２］
シクロフィリン逆向き：  ccagtgctcagagcacgaaa              ［配列番号：３３］
プローブ：            FAM-cgcgtctccttcgagctgtttgc-TAMRA   ［配列番号：３４］
【０２１１】
当業者らは、本明細書に記載した発明が、具体的に記載したもの以外にも変更及び改良の余地があることを認めるであろう。本発明は、このような変更及び改良を全て含むことを理解されたい。本発明はまた、本明細書で個別に又は集合的に言及又は指摘した工程、特性、組成物及び化合物の全て、及び該工程又は特性の二つ以上の組み合わせのいずれか及び全てをも含む。
【０２１２】
引用文献
１．  アルチュールら，Nucl. Acids Res.25: 3389, 1997。
２．  オーストラリアン・インスティチュート・オブ・ヘルス・アンド・ウェルフェア（ＡＩＨＷ），心臓病、脳卒中及び血管病，オーストラリアの事実．AIWH Cat. No. CVD 7,キャンベラ：ＡＩＨＷとハート・ファンデーション・オブ・オーストラリア，1999。
３．  アウスベルら，「分子生物学の最新プロトコル」 John Wiley & Sons Inc, 1994-1998,１５章。
４．  バーネットら，Diabetologia37: 671-676, 1994a。
５．  バーネットら，Int. J. Obesity 18: 789-794, 1994b。
【０２１３】
６．  バーネットら，Diabete Nutr. Metab.8: 42-47, 1995。
７．  ボナーとラスキー，Eur. J. Biochem.46: 83, 1974。
８．  ブーチャード，「肥満の遺伝学」，ボカラートン，ＣＲＣプレス，1994。
９．  コーリアら，Ann. New York Acad. Sci.827: 50-63, 1997a。
１０．  コーリアら，Ex.p Clin. Endocrinol. Diabetes 105: 36-37, 1997b。
【０２１４】
１１．  デ・ルーパー，Ｍとバーティア  Ｋ，オーストラリアズ・ヘルス・トレンド２００１，オーストラリアン・インスティチュート・オブ・ヘルス・アンド・ウェルフェア（ＡＩＨＷ） Cat. No. PHE 24, キャンベラ：ＡＩＨＷ, 2001。
１２．  ドゥイラードとホフマン，「ハイブリドーマに関する基礎事実」，Compendium of Immunology Vol. II, シュバルツ編，1981。
１３．  コーラーとミルシュタイン，Nature256: 495-499, 1975。
１４．  コーラーとミルシュタイン，European Journal of Immunology6: 511-519, 1976。
１５．  クープマンズ，「食物摂取の制御に関する実験的研究」，肥満のハンドブック, Ｇ．Ａ．ブレイ，Ｃ．ブーチャード，ＷＰＴジェームス編、273-312, 1998。
【０２１５】
１６．  コペルマンら，Int. J. Obesity 18： 188-191, 1994。
１７．  コペルマン，Nature404： 635-643, 2000。
１８．  マーマーとドーティ，J. Mol. Biol. 5: 109, 1962。
１９．  モクダッドら，JAMA. 282(16): 1519-22, 1999。
２０．  モクダッド， Diabetes Care24(2)： 412, 2001。
【０２１６】
２１．  マストら，JAMA. 282(16)： 1523-1529, 1999。
２２．  ナショナル・ヘルス・アンド・メディカル・リサーチ・カウンシル，「オーストラリア人の体重に対する作用：体重過重及び肥満を予防するための戦略」，キャンベラ：ナショナル・ヘルス・アンド・メディカル・リサーチ・カウンシル, 1996。
２３．  ラヴシン，Metabolism44(Suppl 3）：12-14, 1995。
２４．  ルシーク，Ｍ．，「摂食管理における肝グルコレセプターの関与に関する仮説」，Nature200：176, 1963。
２５．  シャフリルとガットマン，J. Basic Clin. Physiol. Pharm.4: 83-99, 1993。
【０２１７】
２６．  ステラー，Psychol. Rev. 61: 5-22, 1954。
２７．  ウォルダーら，Obesity Res.5: 193-200, 1997a。
２８．  ウォルフとコルディッツ，Obes. Res.6：97-106, 1998。
２９．  ズィメット，Diabetes Care 15(2)： 232-247, 1992。
【図面の簡単な説明】
【０２１８】
【図１】図１は、給餌した、絶食させた、及び再給餌したプサモミス・オビーサスの胃におけるＡＧＴ−１１９遺伝子の発現をグラフに表したものである。
【図２】図２は、給餌した、絶食させた、及び再給餌したプサモミス・オビーサスの胃におけるＡＧＴ−１２０遺伝子の発現をグラフに表したものである。
【図３】図３は、ＡＧＴ−１２１が発現する組織の分布をグラフに表したものである。
【図４】図４は、（１）心臓、（２）脳、（３）胎盤、（４）肺、（５）肝臓、（６）骨格筋、（７）腎臓、及び（８）膵臓におけるＡＧＴ−１２１の発現のノーザン分析を写真で表したものである。
【図５】図５は、エネルギー制限された視床下部におけるＡＧＴ−１２１の発現をグラフに表したものである。
【図６】図６は、ＡＧＴ−１２１の発現対体重レベルをグラフに表したものである。
【図７】図７は、ＡＧＴ−１２１の発現対グルコースレベルの変化をグラフに表したものである。
【図８】図８は、ＡＧＴ−１２１の発現対肩甲骨の脂肪をグラフに表したものである。
【図９】図９は、グループＡ、Ｂ及びＣの給餌した及び絶食させたプサモミス・オビーサスにおける、ＡＧＴ−１２２肝臓遺伝子の発現をグラフに表したものである。
【図１０】図１０は、給餌した及び絶食させたプサモミス・オビーサス（蓄積したデータ）についての、肝臓のＡＧＴ−１２２遺伝子の発現をグラフに表したものである。
【図１１】図１１は、給餌したプサモミス・オビーサスのＡＧＴ−１２２肝臓遺伝子の発現と体重の間の関連性をグラフに表したものである。
【図１２】図１２は、グループＡ、Ｂ、及びＣの給餌した及び絶食させたプサモミス・オビーサスからの、ＡＧＴ−４２２肝臓遺伝子発現データをグラフに表したものである。
【図１３】図１３は、給餌した及び絶食させた全てのプサモミス・オビーサス（蓄積したデータ）における、ＡＧＴ−４２２肝臓遺伝子の発現をグラフに表したものである。
【図１４】図１４は、グループＡ、Ｂ及びＣの給餌した及び絶食させたプサモミス・オビーサスにおける、ＡＧＴ−１２３視床下部遺伝子の発現をグラフに表したものである。
【図１５】図１５は、グループＡ、Ｂ、及びＣのプサモミス・オビーサスにおける、ＡＧＴ−５０４肝臓遺伝子の発現をグラフに表したものである。
【図１】
2005510214.tif 000012
【図２】
2005510214.tif 000013
【図３】
2005510214.tif 000014
【図４】
2005510214.tif 000015
【図５】
2005510214.tif 000016
【図６】
2005510214.tif 000017
【図７】
2005510214.tif 000018
【図８】
2005510214.tif 000019
【図９】
2005510214.tif 000020
【図１０】
2005510214.tif 000021
【図１１】
2005510214.tif 000022
【図１２】
2005510214.tif 000023
【図１３】
2005510214.tif 000024
【図１４】
2005510214.tif 000025
【図１５】
2005510214.tif 000026
【配列表】
2005510214000001.app
【手続補正書】
【提出日】平成15年10月9日(2003.10.9)
【手続補正１】
【補正対象書類名】特許請求の範囲
【補正対象項目名】全文
【補正方法】変更
【補正の内容】
【特許請求の範囲】
【請求項１】
発現産物又はその誘導体若しくは同族体をコードするヌクレオチド配列又はコードする配列に相補的なヌクレオチド配列を含む単離された核酸分子であって、痩せた動物と比べて肥満動物の、又は給餌した動物と比べて絶食させた動物の、又は糖尿病でない動物と比べて糖尿病の動物の、胃、肝臓及び／又は視床下部組織で差異をもって発現する核酸分子であり、
配列番号：１で表されるヌクレオチド配列、又はそれと少なくとも約３０％の同一性を有するヌクレオチド配列、又は配列番号：１若しくはその相補形と低ストリンジェンシー条件下でハイブリッド形成できるヌクレオチド配列を含む核酸分子、
配列番号：２で表されるヌクレオチド配列、又はそれと少なくとも約３０％の同一性を有するヌクレオチド配列、又は配列番号：２若しくはその相補形と低ストリンジェンシー条件下でハイブリッド形成できるヌクレオチド配列を含む核酸分子、
配列番号：３で表されるヌクレオチド配列、又はそれと少なくとも約３０％の同一性を有するヌクレオチド配列、又は配列番号：３若しくはその相補形と低ストリンジェンシー条件下でハイブリッド形成できるヌクレオチド配列を含む核酸分子、
配列番号：５で表されるヌクレオチド配列、又はそれと少なくとも約３０％の同一性を有するヌクレオチド配列、又は配列番号：５若しくはその相補形と低ストリンジェンシー条件下でハイブリッド形成できるヌクレオチド配列を含む核酸分子、
配列番号：６で表されるヌクレオチド配列、又はそれと少なくとも約３０％の同一性を有するヌクレオチド配列、又は配列番号：６若しくはその相補形と低ストリンジェンシー条件下でハイブリッド形成できるヌクレオチド配列を含む核酸分子、
配列番号：７で表されるヌクレオチド配列、又はそれと少なくとも約３０％の同一性を有するヌクレオチド配列、又は配列番号：６若しくはその相補形と低ストリンジェンシー条件下でハイブリッド形成できるヌクレオチド配列を含む核酸分子、
配列番号：８で表されるヌクレオチド配列、又はそれと少なくとも約３０％の同一性を有するヌクレオチド配列、又は配列番号：８しくはその相補形と低ストリンジェンシー条件下でハイブリッド形成できるヌクレオチド配列を含む核酸分子、
配列番号：９で表されるヌクレオチド配列、又はそれと少なくとも約３０％の同一性を有するヌクレオチド配列、又は配列番号：９若しくはその相補形と低ストリンジェンシー条件下でハイブリッド形成できるヌクレオチド配列を含む核酸分子
から選択される核酸分子。
【請求項２】
配列番号：１で表されるヌクレオチド配列を含む、請求項１に記載の単離された核酸分子。
【請求項３】
配列番号：２で表されるヌクレオチド配列を含む、請求項１に記載の単離された核酸分子。
【請求項４】
配列番号：３で表されるヌクレオチド配列を含む、請求項１に記載の単離された核酸分子。
【請求項５】
配列番号：４で表されるアミノ酸配列をコードするヌクレオチド配列を含む、請求項１に記載の単離された核酸分子。
【請求項６】
配列番号：５で表されるヌクレオチド配列を含む、請求項１に記載の単離された核酸分子。
【請求項７】
配列番号：６で表されるヌクレオチド配列を含む、請求項１に記載の単離された核酸分子。
【請求項８】
配列番号：７で表されるヌクレオチド配列を含む、請求項１に記載の単離された核酸分子。
【請求項９】
配列番号：８で表されるヌクレオチド配列を含む、請求項１に記載の単離された核酸分子。
【請求項１０】
配列番号：９で表されるヌクレオチド配列を含む、請求項１に記載の単離された核酸分子。
【請求項１１】
痩せた動物と比べて肥満動物の、又は給餌した動物と比べて絶食させた動物の、又は糖尿病でない動物と比べて糖尿病の動物の胃、肝臓、及び／又は視床下部組織で差異をもって発現する又は差異をもって生産される核酸分子によりコードされるヌクレオチド配列又はアミノ酸の配列を含む単離された分子であって、該分子が
配列番号：１で表される核酸分子、又は配列番号：１と少なくとも約３０％の同一性を有するヌクレオチド配列、又は配列番号：１若しくはその相補形と低ストリンジェンシー条件下でハイブリッド形成できるヌクレオチド配列、
配列番号：２で表される核酸分子、又は配列番号：２と少なくとも約３０％の同一性を有するヌクレオチド配列、又は配列番号：２若しくはその相補形と低ストリンジェンシー条件下でハイブリッド形成できるヌクレオチド配列、
配列番号：３で表される核酸分子、又は配列番号：３と少なくとも約３０％の同一性を有するヌクレオチド配列、又は配列番号：３若しくはその相補形と低ストリンジェンシー条件下でハイブリッド形成できるヌクレオチド配列、
配列番号：５で表される核酸分子、又は配列番号：５と少なくとも約３０％の同一性を有するヌクレオチド配列、又は配列番号：５若しくはその相補形と低ストリンジェンシー条件下でハイブリッド形成できるヌクレオチド配列、
配列番号：６で表される核酸分子、又は配列番号：６と少なくとも約３０％の同一性を有するヌクレオチド配列、又は配列番号：６若しくはその相補形と低ストリンジェンシー条件下でハイブリッド形成できるヌクレオチド配列、
配列番号：７で表される核酸分子、又は配列番号：７と少なくとも約３０％の同一性を有するヌクレオチド配列、又は配列番号：７若しくはその相補形と低ストリンジェンシー条件下でハイブリッド形成できるヌクレオチド配列、
配列番号：８で表される核酸分子、又は配列番号：８と少なくとも約３０％の同一性を有するヌクレオチド配列、又は配列番号：８若しくはその相補形と低ストリンジェンシー条件下でハイブリッド形成できるヌクレオチド配列、
配列番号：９で表される核酸分子、又は配列番号：９と少なくとも約３０％の同一性を有するヌクレオチド配列、又は配列番号：９若しくはその相補形と低ストリンジェンシー条件下でハイブリッド形成できるヌクレオチド配列
から選択されるものであるか又はこれらから選択される核酸分子によりコードされるものである分子。
【請求項１２】
分子がタンパク質である、請求項１１に記載の単離された分子。
【請求項１３】
配列番号：１で表されるヌクレオチド配列によりコードされる、請求項１２に記載の単離されたタンパク質。
【請求項１４】
配列番号：２で表されるヌクレオチド配列によりコードされる、請求項１２に記載の単離されたタンパク質。
【請求項１５】
配列番号：３で表されるヌクレオチド配列によりコードされる、請求項１２に記載の単離されたタンパク質。
【請求項１６】
配列番号：４で表されるアミノ酸配列を含む、請求項１２に記載の単離されたタンパク質。
【請求項１７】
配列番号：５で表されるヌクレオチド配列によりコードされる、請求項１２に記載の単離されたタンパク質。
【請求項１８】
配列番号：６で表されるヌクレオチド配列によりコードされる、請求項１２に記載の単離されたタンパク質。
【請求項１９】
配列番号：７で表されるヌクレオチド配列によりコードされる、請求項１２に記載の単離されたタンパク質。
【請求項２０】
配列番号：８で表されるヌクレオチド配列によりコードされる、請求項１２に記載の単離されたタンパク質。
【請求項２１】
配列番号：９で表されるヌクレオチド配列によりコードされる、請求項１２に記載の単離されたタンパク質。
【請求項２２】
哺乳動物におけるＡＧＴ−１１９、ＡＧＴ−１２０、ＡＧＴ−１２１、ＡＧＴ−１２２、ＡＧＴ−４２２、ＡＧＴ−４２３及び／又はＡＧＴ−５０４の1つ以上の発現を変化させる方法であって、ＡＧＴ−１１９、ＡＧＴ−１２０、ＡＧＴ−１２１、ＡＧＴ−１２２、ＡＧＴ−４２２、ＡＧＴ−４２３及び／又はＡＧＴ−５０４の発現を高レベル調節又は低レベル調節、又はその他の方法で変化させるのに十分な時間及び条件の下で、効果的な量のＡＧＴ−１１９、ＡＧＴ−１２０、ＡＧＴ−１２１、ＡＧＴ−１２２、ＡＧＴ−４２２、ＡＧＴ−４２３及び／又はＡＧＴ−５０４の発現のモジュレーターとＡＧＴ−１１９、ＡＧＴ−１２０、ＡＧＴ−１２１、ＡＧＴ−１２２、ＡＧＴ−４２２、ＡＧＴ−４２３及び／又はＡＧＴ−５０４とを接触させる工程を含む方法。
【請求項２３】
哺乳動物におけるＡＧＴ−１１９、ＡＧＴ−１２０、ＡＧＴ−１２１、ＡＧＴ−１２２、ＡＧＴ−４２２、ＡＧＴ−４２３及び／又はＡＧＴ−５０４の活性を変化させる方法であって、ＡＧＴ−１１９、ＡＧＴ−１２０、ＡＧＴ−１２１、ＡＧＴ−１２２、ＡＧＴ−４２２、ＡＧＴ−４２３及び／又はＡＧＴ−５０４の活性を増加又は減少させるのに十分な時間及び条件の下で変化させるのに効果的な量の分子を該哺乳動物に投与する工程を含む方法。
【請求項２４】
肥満症、摂食障害、糖尿病及び／又はエネルギー不均衡の症状の1つ以上を特徴とする状態を患う哺乳動物の治療法であって、ＡＧＴ−１１９、ＡＧＴ−１２０、ＡＧＴ−１２１、ＡＧＴ−１２２、ＡＧＴ−４２２、ＡＧＴ−４２３及び／又はＡＧＴ−５０４の発現を変化させるのに十分な、又はＡＧＴ−１１９、ＡＧＴ−１２０、ＡＧＴ−１２１、ＡＧＴ−１２２、ＡＧＴ−４２２、ＡＧＴ−４２３及び／又はＡＧＴ−５０４の活性を変化させるのに十分な時間及び条件の下で、該哺乳動物に効果的な量の物質を投与する工程を含む方法。
【請求項２５】
肥満症、摂食障害、糖尿病及び／又はエネルギー不均衡の症状の1つ以上を特徴とする疾病状態を患う哺乳動物の治療法であって、該哺乳動物に効果的な量のＡＧＴ−１１９、ＡＧＴ−１２０、ＡＧＴ−１２１、ＡＧＴ−１２２、ＡＧＴ−４２２、ＡＧＴ−４２３及び／又はＡＧＴ−５０４、又はＡＧＴ−１１９、ＡＧＴ−１２０、ＡＧＴ−１２１、ＡＧＴ−１２２、ＡＧＴ−４２２、ＡＧＴ−４２３及び／又はＡＧＴ−５０４を投与する工程を含む方法。
【請求項２６】
肥満症、摂食障害、糖尿病及び／又はエネルギー不均衡を特徴とする状態を治療するための医薬の製造における、ＡＧＴ−１１９、ＡＧＴ−１２０、ＡＧＴ−１２１、ＡＧＴ−１２２、ＡＧＴ−４２２、ＡＧＴ−４２３及び／又はＡＧＴ−５０４、又はその誘導体、同族体、若しくは類似体の発現を変化させることができる物質の使用。
【請求項２７】
肥満症、摂食障害、糖尿病及び／又はエネルギー不均衡を特徴とする状態を治療するための医薬の製造における、ＡＧＴ−１１９、ＡＧＴ−１２０、ＡＧＴ−１２１、ＡＧＴ−１２２、ＡＧＴ−４２２、ＡＧＴ−４２３及び／又はＡＧＴ−５０４、又はその誘導体、同族体、類似体、化学的等価物、若しくは模倣体の活性を変化させることができる物質の使用。
【請求項２８】
肥満症、摂食障害、糖尿病及び／又はエネルギー不均衡を特徴とする状態を治療するための医薬の製造における、ＡＧＴ−１１９、ＡＧＴ−１２０、ＡＧＴ−１２１、ＡＧＴ−１２２、ＡＧＴ−４２２、ＡＧＴ−４２３及び／又はＡＧＴ−５０４、又はその誘導体、同族体若しくは類似体、又は、ＡＧＴ−１１９、ＡＧＴ−１２０、ＡＧＴ−１２１、ＡＧＴ−１２２、ＡＧＴ−４２２、ＡＧＴ−４２３及び／又はＡＧＴ−５０４、又はその誘導体、同族体、類似体、化学的等価物若しくは模倣体の使用。
【請求項２９】
ＡＧＴ−１１９、ＡＧＴ−１２０、ＡＧＴ−１２１、ＡＧＴ−１２２、ＡＧＴ−４２２、ＡＧＴ−４２３及び／又はＡＧＴ−５０４の発現のモジュレーター、又は、ＡＧＴ−１１９、ＡＧＴ−１２０、ＡＧＴ−１２１、ＡＧＴ−１２２、ＡＧＴ−４２２、ＡＧＴ−４２３及び／又はＡＧＴ−５０４の活性のモジュレーター、及び1つ以上の薬学的に許容できる担体及び／又は希釈剤を含む組成物。
【請求項３０】
被検体由来の生体試料中のＡＧＴ−１１９、ＡＧＴ−１２０、ＡＧＴ−１２１、ＡＧＴ−１２２、ＡＧＴ−４２２、ＡＧＴ−４２３及び／又はＡＧＴ−５０４、又はその誘導体若しくは同族体を検出する方法であって、該生体試料を、ＡＧＴ−１１９、ＡＧＴ−１２０、ＡＧＴ−１２１、ＡＧＴ−１２２、ＡＧＴ−４２２、ＡＧＴ−４２３及び／又はＡＧＴ−５０４、又はそれらの抗原性誘導体若しくは同族体に特異的な抗体と、複合体を形成するのに十分な時間及び条件の下で接触させる工程、及び次いで該複合体を検出する工程を含む方法。
【国際調査報告】
2005510214.tif 000027
2005510214.tif 000028
2005510214.tif 000029
2005510214.tif 000030
2005510214.tif 000031